(57)【特許請求の範囲】
【請求項１】
被綴じ物の綴じ孔に貫挿される綴じリングが、回動するレバーを含む開閉機構によって開閉されるように、基板に開閉自在に固定された綴じ具であって、
綴じリングを構成する半環状形綴じリング部を有する第１リング部材と、半環状形綴じリング部を有する第２リング部材とは、その下端の枢軸部において基板に枢支され、
第１リング部材の綴じリング部及び第２リング部材の綴じリング部は、枢軸部とは反対側の先端が、第１リング部材の枢軸部と第２リング部材の枢軸部との間における間において、第１リング部材の綴じリング部の先端の接合部と第２リング部材の綴じリング部の先端の接合部とが接合して、閉じたループを形成するリング状に形成され、
第１リング部材と第２リング部材とは、レバーを回動することによりその下端の枢軸部を中心にして開閉するように、レバーを含む開閉機構と連動するよう構成され、
前記基板は、前記開閉機構のレバーを枢支するレバー軸受けを備え、
前記レバー軸受けは、第１リング部材の枢軸部と第２リング部材の枢軸部との間における中央線を境にして、対向するように形成された第１軸受部と第２軸受部とを有し、
前記第１軸受部および前記第２軸受部は、第１リング部材の枢軸部と第２リング部材の枢軸部との間における中央線を境にして、間隔をおいて立ち上げられ、基部の一方端側より上方に向けて突き出された首部と、前記首部の上部に形成された頭部とを有し、
前記第１軸受部の前記首部に前記第２軸受部の前記頭部が位置し、前記第２軸受部の前記首部に前記第１軸受部の前記頭部が位置するような形状で、前記第１軸受部および前記第２軸受部は、前記基板から打ち出されたことを特徴とする、
ファイル・バインダ類の綴じ具。
【請求項２】
前記レバー軸受けは、第１リング部材の枢軸部と第２リング部材の枢軸部との間における中央線の中心を中心として対称に形成された第１軸受部と第２軸受部とを有し、
前記第１軸受部および前記第２軸受部は、第１リング部材の枢軸部と第２リング部材の枢軸部との間における中央線と平行な線上において、間隔をおいて立ち上げられ、基部の一方端側より上方に向けて突き出された首部と、前記首部の上部に内方に向けて突き出された頭部とを有することを特徴とする、請求項１に記載のファイル・バインダ類の綴じ具。
【発明の詳細な説明】
【技術分野】
【０００１】
この発明は、ファイル・バインダ類において書類などの被綴じ物を保持するための綴じ具に関し、特に、いわゆるＡ−Ｚファイルの綴じ具として用いられるに適する、レバーを含む機構によって開閉されるリングによって書類等の被綴じ物が保持される、ファイル・バインダ類の綴じ具に関する。
【背景技術】
【０００２】
Ａ−Ｚファイルと称されるレバーアーチファイルは、ファイル内に書類などの被綴じ物などの端縁近傍に形成された綴じ孔にリングを貫挿し、保持するように構成されたものとして広く知られている。
一般に、レバーアーチファイルは、基材と、書類などの被綴じ物にある穴に嵌挿する基材に堅固に装着された上方に伸びる２つのリングからなる各リングは、ファイルが閉じられたときに書類を保持する柱状の部分と、アーチ部とから構成されている。柱状の部分と、アーチ部とを閉位置に保持する機構が備えられており、閉位置では、各リングは被綴じ物を保持する閉じたループを形成し、被綴じ物の最上部にあるページをリングに沿って滑らせて下のページを読むことができる。前記機構は、レバーによって操作して前記２つの部分を引き離すことができ、被綴じ物をリングに追加したりあるいはリングから取り外したりすることができる。また、レバーを操作することにより、各リングの２つの部分を再び結合させて閉位置とすることもできる。【０００３】
【特許文献１】特表２００４−５０５８０６号公報
【発明の開示】
【発明が解決しようとする課題】
【０００４】
従来のレバーアーチファイルは、用箋等の被綴じ物の綴じ孔に貫挿する２つのリングは、ファイルが綴じられたときに被綴じ物と保持する柱状の部分とアーチ部とから構成されており、用箋等の被綴じ物を綴じるときには、用箋等の綴じ孔を柱状の部分の先端より貫挿し被綴じ物を柱状の部分に綴じられるように構成されており、アーチ部はその形状から各リングを開いたときにもその先端が下向きになるために、多くの用箋等の被綴じ物の綴じ孔をアーチ部側に貫挿するには極めて不都合である。
また、アーチ部を開閉するレバーを含む開閉機構は、２つのリングを装着した基台の中央に設けられ、各リングの開閉方向と直交する方向に向けてレバーを回動して各リングを開閉することができるように構成されている。
ところが、各リングのアーチ部が開かれたときには、十分に開かれないために、アーチ部とレバーとが当たるように構成されている。
また、レバーアーチファイルは、柱状の部分に用箋等が綴じられて存在しているとＢ面側の表紙が閉じられないために、綴じ具が表紙の背側ではなくＢ面側に設けられており、そのためにファイルの表紙の幅が広くなり、ファイルの収納場所を広く取るという不便さがある。【０００５】
それゆえに、この発明の主たる目的は、被綴じ物の綴じ孔に貫挿されるリングを十分開くことができ、リングの開閉機構のレバーも十分作動させることができ、ファイル・バインダ類の表紙に取り付けることができるファイル・バインダ類の綴じ具を提供することである。
【課題を解決するための手段】
【０００６】
この発明の請求項１にかかるファイル・バインダ類の綴じ具は、被綴じ物の綴じ孔に貫挿される綴じリングが、回動するレバーを含む開閉機構によって開閉されるように、基板に開閉自在に固定された綴じ具であって、綴じリングを構成する半環状形綴じリング部を有する第１リング部材と、半環状形綴じリング部を有する第２リング部材とは、その下端の枢軸部において基板に枢支され、第１リング部材の綴じリング部及び第２リング部材の綴じリング部は、枢軸部とは反対側の先端が、第１リング部材の枢軸部と第２リング部材の枢軸部との間における間において、第１リング部材の綴じリング部の先端の接合部と第２リング部材の綴じリング部の先端の接合部とが接合して、閉じたループを形成するリング状に形成され、第１リング部材と第２リング部材とは、レバーを回動することによりその下端の枢軸部を中心にして開閉するように、レバーを含む開閉機構と連動するよう構成され、前記基板は、前記開閉機構のレバーを枢支するレバー軸受けを備え、前記レバー軸受けは、第１リング部材の枢軸部と第２リング部材の枢軸部との間における中央線を境にして、対向するように形成された第１軸受部と第２軸受部とを有し、前記第１軸受部および前記第２軸受部は、第１リング部材の枢軸部と第２リング部材の枢軸部との間における中央線を境にして、間隔をおいて立ち上げられ、基部の一方端側より上方に向けて突き出された首部と、前記首部の上部に形成された頭部とを有し、前記第１軸受部の前記首部に前記第２軸受部の前記頭部が位置し、前記第２軸受部の前記首部に前記第１軸受部の前記頭部が位置するような形状で、前記第１軸受部および前記第２軸受部は、前記基板から打ち出されたことを特徴とする、ファイル・バインダ類の綴じ具である。
この発明の請求項２にかかるファイル・バインダ類の綴じ具においては、前記レバー軸受けは、第１リング部材の枢軸部と第２リング部材の枢軸部との間における中央線の中心を中心として対称に形成された第１軸受部と第２軸受部とを有し、前記第１軸受部および前記第２軸受部は、第１リング部材の枢軸部と第２リング部材の枢軸部との間における中央線と平行な線上において、間隔をおいて立ち上げられ、基部の一方端側より上方に向けて突き出された首部と、前記首部の上部に内方に向けて突き出された頭部とを有することを特徴とする、請求項１に記載のファイル・バインダ類の綴じ具である。
【発明の効果】
【０００７】
この発明によれば、被綴じ物の綴じ孔に貫挿される綴じリングが、回動するレバーを含む開閉機構によって開閉されるように、基板に開閉自在に固定された綴じ具であって、綴じリングを構成する半環状形綴じリング部を有する第１リング部材と、半環状形綴じリング部を有する第２リング部材とは、その下端の枢軸部において基板に枢支され、第１リング部材の綴じリング部及び第２リング部材の綴じリング部は、枢軸部とは反対側の先端が、第１リング部材の枢軸部と第２リング部材の枢軸部との間における間において、第１リング部材の綴じリング部の先端の接合部と第２リング部材の綴じリング部の先端の接合部とが接合して、閉じたループを形成するリング状に形成され、第１リング部材と第２リング部材とは、レバーを回動することによりその下端の枢軸部を中心にして開閉するように、レバーを含む開閉機構と連動するよう構成され、前記基板は、前記開閉機構のレバーを枢支するレバー軸受けを備え、前記レバー軸受けは、第１リング部材の枢軸部と第２リング部材の枢軸部との間における中央線を境にして、対向するように形成された第１軸受部と第２軸受部とを有し、前記第１軸受部および前記第２軸受部は、第１リング部材の枢軸部と第２リング部材の枢軸部との間における中央線を境にして、間隔をおいて立ち上げられ、基部の一方端側より上方に向けて突き出された首部と、前記首部の上部に形成された頭部とを有し、前記第１軸受部の前記首部に前記第２軸受部の前記頭部が位置し、前記第２軸受部の前記首部に前記第１軸受部の前記頭部が位置するような形状で、前記第１軸受部および前記第２軸受部は、前記基板から打ち出されたことを特徴とするので、一枚の基板のみによって、レバー軸受けを比較的容易に安定的に形成することができる。
請求項２の発明によれば、前記レバー軸受けは、第１リング部材の枢軸部と第２リング部材の枢軸部との間における中央線の中心を中心として対称に形成された第１軸受部と第２軸受部とを有し、前記第１軸受部および前記第２軸受部は、第１リング部材の枢軸部と第２リング部材の枢軸部との間における中央線と平行な線上において、間隔をおいて立ち上げられ、基部の一方端側より上方に向けて突き出された首部と、前記首部の上部に内方に向けて突き出された頭部とを有することを特徴とするので、一枚の基板のみによって、枢軸部材を安定的に保持するための第１軸受部および第２軸受部を形成することができる。
【０００８】
この発明の上述の目的、その他の目的、特徴および利点は、図面を参照して行う以下の発明を実施するための最良の形態の説明から一層明らかとなろう。
【図面の簡単な説明】
【０００９】
【図１】この発明に関連する綴じ具の斜視図解図である。
【図２】図１図示綴じ具の平面図である。
【図３】図１図示綴じ具の左側面図である。
【図４】図１図示綴じ具の背面図である。
【図５】図１図示綴じ具の正面図である。
【図６】図１図示綴じ具の作動状態を示す斜視図解図である。
【図７】図１図示綴じ具の作動状態を示す左側面図である。
【図８】図１図示綴じ具の作動状態を示す斜視図解図である。
【図９】図１図示綴じ具の右側面図である分解斜視図である。
【図１０】図１図示綴じ具を用いたファイルの斜視図解図である。
【図１１】この発明に関連する綴じ具の斜視図解図である。
【図１２】図１１図示綴じ具の作動状態を示す左側面図解図である。
【図１３】図１１図示綴じ具の作動状態を示す左側面図解図である。
【図１４】図１１図示綴じ具の作動状態を示す左側面図解図である。
【図１５】図１１図示綴じ具の作動状態を示す左側面図解図である。
【図１６】図１１図示綴じ具の作動状態を示す斜視図解図である。
【図１７】この発明の実施の形態である綴じ具の斜視図解図である。
【図１８】図１７図示綴じ具の平面図である。
【図１９】図１７図示綴じ具（綴じリングを閉じた状態）の背面図である。
【図２０】図１７図示綴じ具の作動状態（綴じリングを閉じた状態）を示す左側面図解図である。
【図２１】図１７図示綴じ具の作動状態（綴じリングを開き始めた状態）を示す左側面図解図である。
【図２２】図１７図示綴じ具の作動状態（レバーを中間まで回転させた状態）を示す左側面図解図である。
【図２３】図１７図示綴じ具の作動状態（綴じリングを開いた状態）を示す左側面図解図である。
【図２４】図１７図示綴じ具の作動状態（綴じリングを開き始めた状態）を示す正面図である。
【図２５】図１７図示綴じ具の作動状態（レバーを中間まで回転させた状態）を示す正面図である。
【図２６】図１７図示綴じ具の作動状態（綴じリングを開いた状態）を示す斜視図解図である。
【図２７】図１７図示綴じ具の分解斜視図である。
【図２８】図１７図示綴じ具の基板の加工前における平面図である。
【図２９】枢軸部材の斜視図解図である。
【図３０】この発明の一実施の形態である綴じ具の斜視図解図である。
【図３１】図３０図示綴じ具の綴じリングを開いた状態を示す斜視図解図である。
【図３２】図３０図示綴じ具の平面図である。
【図３３】図３０図示綴じ具の背面図である。
【図３４】図３０図示綴じ具の作動状態（綴じリングを閉じた状態）を示す左側面図である。
【図３５】図３０図示綴じ具の作動状態（綴じリングを半開きにした状態）を示す左側面図である。
【図３６】図３０図示綴じ具の作動状態（綴じリングを開いた状態）を示す左側面図である。
【図３７】図３０図示綴じ具の作動状態（綴じリングを閉じた状態）を示す正面図である。
【図３８】図３０図示綴じ具の作動状態（綴じリングを半開きにした状態）を示す正面図である。
【図３９】図３０図示綴じ具の作動状態（綴じリングを開いた状態）を示す正面図である。
【図４０】図３０図示綴じ具の分解斜視図である。
【図４１】図３０図示綴じ具の枢軸部材を示す斜視図解図である。
【図４２】図３０図示綴じ具の枢軸部材を示す斜視図解図である。
【図４３】図３０図示綴じ具の基板の加工前における正面図である。
【図４４】図３０図示綴じ具の利用方法を示す斜視図解図である。
【図４５】図３０図示綴じ具の変形例たる綴じ具の斜視図解図である。
【図４６】図４４図示綴じ具の作動状態（綴じリングを開いた状態）を示す斜視図解図である。
【図４７】図４５図示綴じ具の利用方法を示す斜視図解図である。
【図４８】図４７利用例において表紙を閉じた状態を示す斜視図解図である。
【図４９】図３０図示綴じ具の変形例たる綴じ具（綴じリングを閉じた状態）の正面図解図である。
【図５０】図３０図示綴じ具の変形例たる綴じ具（綴じリングを開いた状態）の正面図解図である。
【符号の説明】
【００１０】
１０，２１０，４１０，６１０，６１０Ａ  綴じ具
１２，２１２，４１２，６１２，６１２Ａ  綴じリング
１４，２１４，４１４，６１４  レバー
１６，２１６，４１６，６１６  開閉機構
１８，２１８，４１８，６１８  基板
１８ａ，２１８ａ，４１８ａ，６１８ａ  取付孔
２０，２２０，４２０，６２０，６２０Ａ  第１リング部材
２２，２２２，４２２，６２２，６２２Ａ  上綴じリング部
２４，２２４，４２４，６２４，６２４Ａ  下綴じリング部
２６，２２６，４２６，６２６  枢軸部
２８，２２８，４２８，６２８  接合部
２８ａ，２２８ａ、４２８ａ，６３２ａ  凹部
３０，２３０，４３０，６３０  枢軸部
３２，２３２，４３２，６３２  接合部
３２ａ，２３２ａ，４３２ａ，６２８ａ  凸部
３４，２３４，４３４，６３４  連結部
３６，２３６，４３６，６３６  湾曲部
３６ａ，２３６ａ、４３６ａ，６３６ａ  凸部
４０，２４０，４４０，６４０，６４０Ａ  第２リング部材
４２，２４２，４４２，６４２，６４２Ａ  上綴じリング部
４４，２４４，４４４，６４４，６４４Ａ  下綴じリング部
４６，２４６，４４６，６４６  枢軸部
４８，２４８，４４８，６４８  接合部
４８ａ，２４８ａ、４４８ａ，６５２ａ  凸部
５０，２５０，４５０，６５０  枢軸部
５２，２５２，４５２，６５２  接合部
５２ａ，２５２ａ、４５２ａ，６４８ａ  凹部
５４，２５４，４５４，６５４  連結部
５６，２５６，４５６，６５６  湾曲部
５６ａ，２５６ａ、４５６ａ，６５６ａ  凸部
６０，２６０，４６０，６６０  枢軸受け
６２，２６２，４６２，６６２  枢軸受け
６４，２６４，４６４，６６４  枢軸受け
６６，２６６，４６６，６６６  枢軸受け
７０，２７０，４７０，６７０  レバー軸受け
４７０ａ，６７０ａ  第１軸受部
４７０ｂ，６７０ｂ  第２軸受部
４７０ａ１，６７０ａ１  第１軸受部の基部
４７０ｂ１，６７０ｂ１  第２軸受部の基部
４７０ａ２，６７０ａ２  首部
４７０ｂ２，６７０ｂ２  首部
４７０ａ３，６７０ａ３  頭部
４７０ｂ３，６７０ｂ３  頭部
４７０ａ４，６７０ａ４  支え部
４７０ｂ４，６７０ｂ４  支え部
７２，２７２，４７２，６７２  軸孔
４７２ａ，６７２ａ  軸孔
４７２ｂ，６７２ｂ  軸孔
７４，２７４  凹み
８０，２８０，４８０，６８０  レバー本体
８２，２８２，４８２，６８２  棒体
８２ａ，２８２ａ，４８２ａ，６８２ａ  軸孔
８４，２８４，４８４，６８４  操作部
８６，２８６，４８６，６８６  第１固定部
８８，２８８，６８８  第２固定部
９０，２９０，４９０，６９０  枢軸
１００，５００，７００  付勢部材
１０２  付勢部材本体
１０４ａ，１０４ｂ，５０４ａ，５０４ｂ，７０４ａ，７０４ｂ  固定部
１０６  押圧部
１０８  長孔
３００  押し上げ部材
３０２  押し上げ棒
５０６，７０６  押し上げ部
５０６ａ，７０６ａ  先端部
４６８，６６８  間隙部
４８５，６８５  枢軸部材
４８５ａ，６８５ａ  左側部
４８５ｂ，６８５ｂ  右側部
４８５ｃ，６８５ｃ  円盤状本体
４８５ｄ，６８５ｄ  レバー取付部
４８５ｅ，６８５ｅ  転動部
４８５ｆ，６８５ｆ  転動部
４８５ｇ，６８５ｇ  規制部
４８５ｈ  係止部
４８５ｉ，６８５ｉ  枢軸孔
４８５ｊ，６８５ｊ  吸収孔部
６８５ｈ  第１係止部
６８５ｋ  第２係止部
Ｃ  表紙
Ｃ1  背板
Ｃ2  裏表紙
Ｃ3  表表紙
Ｃｈ1，Ｃｈ2  固定貫通孔
Ｄ1，Ｄ2，Ｄ3，Ｄ4，Ｄ5，Ｄ6  長さ
Ｗ0，Ｗ1，Ｗ2，Ｗ3，Ｗ4，Ｗ5，Ｗ6，Ｗ7，Ｗ8  垂直面
Ｘ  被綴じ物
Ｘ1  綴じ孔
Ｙ  開く方向
【発明を実施するための最良の形態】
【００１１】
図１は、この発明に関連する綴じ具の斜視図解図である。
図２は、図１図示綴じ具の平面図である。
図３は、図１図示綴じ具の左側面図である。
図４は、図１図示綴じ具の背面図である。
図５は、図１図示綴じ具の正面図である。
図６は、図１図示綴じ具の作動状態を示す斜視図解図である。
図７は、図１図示綴じ具の作動状態を示す左側面図である。
図８は、図１図示綴じ具の作動状態を示す斜視図解図である。
図９は、図１図示綴じ具の右側面図である分解斜視図である。
【００１２】
この綴じ具１０は、ファイル・バインダ類の綴じ具、特に、Ａ−Ｚファイルに用いられる綴じ具であり、用箋等の被綴じ物Ｘの綴じ孔Ｘ1に貫挿される綴じリング１２が、回動するレバー１４を含む開閉機構１６によって、基板１８の近傍の枢軸を中心として接線方向に向けて回転して開閉されるように、基板１８に開閉自在に固定されてなる。【００１３】
綴じ具１０は、一対の第１リング部材２０と第２リング部材４０とを備え、第１リング部材２０と第２リング部材４０とは、円柱状の金属製線材を湾曲した一体成形もので、略対称形に構成されている。
第１リング部材２０の綴じリング１２と第２リング部材４０の綴じリング１２は、綴じリング１２の接線方向に回動して、閉じたループを形成する閉位置から分離した開位置方向またはその逆方向（開閉方向）に移動する。【００１４】
第１リング部材２０は、綴じリング１２を構成する半環状形の上綴じリング部２２と、綴じリング１２を構成する半環状形の下綴じリング部２４とを有し、上綴じリング部２２は、その下端に枢軸部２６が形成され、その上端には接合部２８が形成され、下綴じリング部２４は、上綴じリング部２２と同様に、その下端には枢軸部３０が形成され、その上端には接合部３２が形成されている。
接合部２８は、その先端に凹部２８ａが形成され、接合部３２は、その先端に凸部３２ａが突設されている。【００１５】
上綴じリング部２２と下綴じリング部２４とは、上綴じリング部２２の下端の枢軸部２６と下綴じリング部２４の下端の枢軸部３０との間において互いに対向するように、連結部３４により連結されている。
そして、枢軸部２６と枢軸部３０とは、上綴じリング部２２及び下綴じリング部２４の開閉方向と直交する方向に突き出し設けられ、枢軸部２６は下綴じリング部２４側に、枢軸部３０は上綴じリング部２２側に向けて突き出し設けられている。
連結部３４は、上綴じリング部２２の枢軸部２６と下綴じリング部２４の枢軸部３０とに連結され、連結部３４は、その中央に向かうに従って上綴じリング部２２の接合部２８と下綴じリング部２４の接合部３２に向けて突き出るように湾曲された湾曲部３６が形成されている。
湾曲部３６は、開閉機構１６のレバー１４の思案点を備えるように、その上面に凹凸が形成されている。【００１６】
第２リング部材４０は、綴じリング１２を構成する半環状形の上綴じリング部４２と、綴じリング１２を構成する半環状形の下綴じリング部４４とを有し、上綴じリング部４２は、その下端に枢軸部４６が形成され、その上端には接合部４８が形成され、下綴じリング部４４は、上綴じリング部４２と同様に、その下端には枢軸部５０が形成され、その上端には接合部５２が形成されている。
接合部４８は、その先端に凸部４８ａが形成され、接合部５２は、その先端に凹部５２ａが穿設されている。
上綴じリング部４２と下綴じリング部４４とは、上綴じリング部４２の下端の枢軸部４６と下綴じリング部４４の下端の枢軸部５０との間において互いに対向するように、連結部５４により連結されている。
そして、枢軸部４６と枢軸部５０とは、上綴じリング部４２及び下綴じリング部４４の開閉方向と直交する方向に突き出し設けられ、枢軸部４６は下綴じリング部４４側に、枢軸部５０は上綴じリング部４２側に向けて突き出し設けられている。
連結部５４は、上綴じリング部４２の枢軸部４６と下綴じリング部４４の枢軸部５０とに連結され、連結部５４は、その中央に向かうに従って上綴じリング部４２の接合部４８と下綴じリング部４４の接合部５２に向けて突き出るように湾曲された湾曲部５６が形成されている。
湾曲部５６は、開閉機構１６のレバー１４の思案点を備えるように、その上面に凹凸が形成されている。【００１７】
第１リング部材２０の上綴じリング部２２及び下綴じリング部２４は、基板１８の左端縁近傍に枢軸部２６及び枢軸部３０が形成され、その枢軸部２６及び枢軸部３０とは反対側の先端で基板１８の幅方向の中央近傍に接合部２８及び接合部３２が形成され、また、第２リング部材４０の上綴じリング部４２及び下綴じリング部４４は、基板１８の右端縁近傍に枢軸部４６及び枢軸部５０が形成され、その枢軸部４６及び枢軸部５０とは反対側の先端で基板１８の幅方向の中央近傍に接合部４８及び接合部５２が形成されている。
枢軸部２６及び枢軸部３０を通る垂直面Ｗ1と接合された接合部４８及び接合部５２を通る垂直面Ｗ0との間の長さＤ1は、接合部２８及び接合部３２を通る垂直面Ｗ2と、接合
された接合部４８及び接合部５２を通る垂直面Ｗ0との間の長さＤ2と、同一である（図２及び図５参照）。
上綴じリング部２２及び下綴じリング部２４の最も左端を垂直面Ｗ3と枢軸部２６及び枢軸部３０を通る垂直面Ｗ1との間の長さＤ3は、上綴じリング部４２及び下綴じリング部４４の最も右端を通る垂直面Ｗ4と枢軸部４６及び枢軸部５０を通る垂直面Ｗ2との間の長さＤ4と同一である（図２及び図５参照）。
上綴じリング部２２及び下綴じリング部２４の最も左端を通る垂直面Ｗ3と基板１８の左端縁を通る垂直面Ｗ5との間の長さは、上綴じリング部４２及び下綴じリング部４４の最も右端を通る垂直面Ｗ4と基板１８の右端縁を通る垂直面Ｗ6との間の長さと同一である（図２及び図５参照）。【００１８】
第１リング部２０の綴じリング１２及び第２リング部４０の綴じリング１２は、第１リング部材２０の枢軸部２６及び枢軸部３０と第２リング部材４０の枢軸部４６及び枢軸部５０との間における中央で基板１８の幅方向の中央近傍において、第１リング部材２０の接合部２８と第２リング部材４０の接合部４８とは接合し凹部２８ａと凸部４８ａとが係合して、閉じたループを形成する横長の長円のリング状に形成されるとともに、第１リング部材２０の接合部３２と第２リング部材４０の接合部５２とは接合し凸部３２ａと凹部５２ａとが係合して、閉じたループを形成する横長の長円のリング状に形成されている。
すなわち、綴じリング１２は、上綴じリング部２２と上綴じリング部４２とが倒Ｃ字型リング状に形成されるとともに下綴じリング部２４と下綴じリング部４４とが倒Ｃ字型リング状に形成されて、上下一対の綴じリングが形成される。【００１９】
第１リング部材２０の連結部３４の湾曲部３６と第２リング部材４０の連結部５４の湾曲部５６とは、基板１８の中央付近において接近するように湾曲されている。そして、湾曲部３６と湾曲部５６とは基板１８の長手方向に向けて略平行に伸び、第１リング部材２０の連結部３４と第２リング部材４０の連結部５４の間に、開閉機構１６が設けられるように適宜な間隔が設けられている。【００２０】
基板１８は、第１リング部材２０の枢軸部２６及び枢軸部３０を枢支する枢軸受け６０及び枢軸受け６２と、第２リング部材４０の枢軸部４６及び枢軸部５０を枢支する枢軸受け６４及び枢軸受け６６とが、四隅みに設けられている。
すなわち、基板１８の左端縁を通る垂直面Ｗ5と基板１８の右端縁を通る垂直面Ｗ6との間の中央を通る垂直面Ｗ0上において、接合部４８及び接合部５２が接合するように、枢軸部２６，接合部２８，枢軸部３０，接合部３２が基板１８に設けられている。
この実施の形態における基板１８においては、枢軸受け６０、６２、６４、６６は、基板１８を略コ字型に打ち抜き、打ち抜いてなる舌片をカールしてなる。【００２１】
基板１８の中央には、綴じリング１２の開閉機構１６が設けられている。
この実施の形態においては、開閉機構１６は、基板１８の略中央において基板１８を打ち抜き上方に向けて折曲してなるレバー軸受け７０を備えている。
レバー軸受け７０は、その上部に軸孔７２が穿設され、軸孔７２の下部にはレバー１４の作動を許容するための凹み７４が形成され、後述するようにレバー１４が回動自在に固定されている。【００２２】
レバー１４は、略直線状のレバー本体８０と、レバー本体８０の上端（向こう側）に上方に向けて屈曲されてレバー本体８０と直交する方向に突設された棒体８２と、レバー本体８０の下端（手前側）に上方に向けて屈曲されレバー本体８０と直交する方向に突設された略Ｌ字型の操作部８４とを有する。
棒体８２は、軸孔８２ａが穿設され、軸孔８２ａの直下で、レバー本体８０と棒体８２とが連結された屈曲部には、第１リング部材２０の連結部３４の湾曲部３６を転動する第１固定部８６と第２リング部材の連結部５４の湾曲部５６を転動する第２固定部８８とが、回動自在に固定されている。【００２３】
レバー１４は、棒体８２の軸孔８２ａと基板１８のレバー軸受け７０の軸孔７２とに貫設された枢軸９０により、第１リング部材２０の綴じリング１２及び第２リング部材２４の綴じリング１２の開閉方向と直交する方向に向けて回動することができるように形成されている。【００２４】
第１リング部材２０の湾曲部３６及び第２リング部材４０の湾曲部５６は、レバー軸受け７０の軸孔７２の下部付近において、レバー１４の第１固定部８６と第２固定部８８がいちばん下の位置まで降ろされたときにレバー機構の思案点を越えるように、上方に向けて膨出した凸部３６ａ及び凸部５６ａが形成されている。
そして、レバー１４の第１固定部８６は、第１リング部材２０の湾曲部３６上を転動し、レバー１４の第２固定部８８は、第２リング部材４０の湾曲部５６上を転動するように構成され、枢軸９０を中心にして水平の位置（綴じリング１２の閉じた状態）から、綴じリング１２の開閉方向と直交する方向に向けて回動するように構成されている。【００２５】
開閉機構１６は、綴じリング１２を開く方向に付勢する付勢部材１００を備える。
付勢部材１００は、略方形状の付勢部材本体１０２と、その下端に左右に突設された固定部１０４ａ、１０４ｂと、その上端に付勢部材本体１０２より上方に向けて屈曲されて延びる押圧部１０６とを備える板ばねによって形成されている。
付勢部材１００は、基板１８のレバー軸受け７０より下端側（手前側）において幅方向に穿設された長孔１０８に、付勢部材本体１０２が貫挿され、下端が基板１８に穿設された長孔１０２に差し込まれて、固定部１０４ａ、１０４ｂで固定され、上端の押圧部１０６が、第１リング部材２０の湾曲部３６の下方（レバーの思案点より下方（手前側））に当接し、且つ第２リング部材４０湾曲部５６の下方（レバーの思案点より下方（手前側））に当接して、湾曲部３６及び湾曲部５６を上方に向けて付勢している。
付勢部材１００の付勢力によって、第１リング部材２０は、枢軸部２６及び枢軸部３０を中心にして反時計回り方向に開き、第２リング部材４０は、枢軸部４６及び枢軸部５０を中心にして時計回り方向に開く。【００２６】
第１リング部材２０及び第２リング部材４０の綴じリング１２が開状態にあるレバー１４を上方に向けて動かし、第１固定部８６及び第２固定部８８が第１リング部材２０の湾曲部３６及び第２リング部材４０の湾曲部５６上を転動し、下方（手前側）に向けて移動するので、第１固定部８６及び第２固定部８８は、第１リング部材２０の湾曲部３６及び第２リング部材４０の湾曲部５６を押し下げることがなくなり、付勢部材１００の付勢力により第１リング部材２０の湾曲部３６及び第２リング部材４０の湾曲部５６を上方に向けて押し上げる。
これによって、第１リング部材２０の接合部２８と第２リング部材４０の接合部４８とが及び第１リング部材２０の接合部３２と第２リング部材４０の接合部５２とが離間する方向に向けて作動して、第１リング部材２０の綴じリング１２は、枢軸部２６及び枢軸部３０を通る垂直線より略２０度開き、第２リング部材４０の綴じリング１２は、枢軸部４６及び枢軸部５０を通る垂直線より略２０度開く（図４参照）。すなわち、第１リング部材２０は、反時計回り方向に向けて回転して開き、第２リング部材４０は時計回り方向に向けて回転して開く。【００２７】
第１リング部材２０の上綴じリング部２２及び下綴じリング部２４と第２リング部材４０の上綴じリング部４２及び下綴じリング部４４とが開くことにより、レバー１４の作動領域が開放され、レバー１４は、第１リング部材２０及び第２リング部材４０の綴じリング１２の間を通過して基板１８の上方（向こう側）まで回動させ、基板１８の上面に近接した水平状態に固定させることができる。
したがって、レバー１４に妨げられることなく、第２リング部材４０の上綴じリング部４２及び第２リング部材４０の下綴じリング部４４に、用箋等の被綴じ物Ｘの綴じ孔Ｘ1を貫挿させて被綴じ物Ｘを差し込むことができる。
そして、被綴じ物Ｘを貫挿させた後、レバー１４を下方（手前側）に向けて回動することにより、再び第１固定部８６及び第２固定部８８が第１リング部材２０の湾曲部３６及び第２リング部材４０の湾曲部５６を押し下げ、付勢部材１００の付勢力に抗して、レバー１４を押し下げると、レバー１４は、思案点を越えた位置において固定されるとともに第１リング部材２０及び第２リング部材４０の綴じリング１２は定位置で固定される。【００２８】
この綴じ具１０は、ファイルの表紙Ｃの背板Ｃ1に、基板１８に設けられた４つの取付
孔１８ａに鋲などを貫設して取り付けられる。
ファイルの表紙Ｃの背板Ｃ1に固定された基板１８の左端縁を通る垂直面Ｗ5とファイ
ルの表紙Ｃの背板Ｃ1の左端縁の折り曲げ線を通る垂直面Ｗ7との間の長さＤ5は、基板１８の右端縁を通る垂直面Ｗ8とファイルの表紙Ｃの背板Ｃ1の右端縁の折り曲げ線を通る垂直面Ｗ8との間の長さＤ6は、同一である。【００２９】
この発明は、前記実施の形態の綴じ具に限らず、この発明の思想に基づき種々変更することができる。例えば、図１１ないし図１６に示すように、変更することが可能である。【００３０】
図１１は、この発明に関連する綴じ具の斜視図解図である。
図１２ないし１５は、図１１図示綴じ具の作動状態を示す左側面図解図である。
図１６は、図１１図示綴じ具の作動状態を示す斜視図解図である。
【００３１】
この綴じ具２１０は、図１図示ファイル・バインダ類の綴じ具と同様な構成を備え、特に、Ａ−Ｚファイルに用いられる綴じ具であり、用箋等の被綴じ物Ｘの綴じ孔Ｘ1に貫挿される綴じリング２１２が、回動するレバー２１４を含む開閉機構２１６によって、基板２１８の近傍の枢軸を中心として接線方向に向けて回転して開閉されるように、基板２１８に開閉自在に固定されてなる。【００３２】
綴じ具２１０は、一対の第１リング部材２２０と第２リング部材２４０とを備え、第１リング部材２２０と第２リング部材２４０とは、円柱状の金属製線材を湾曲した一体成形もので、略対称形に構成されている。
第１リング部材２２０の綴じリング２１２と第２リング部材２４０の綴じリング２１２は、綴じリング２１２の接線方向に回動して、閉じたループを形成する閉位置から分離した開位置方向またはその逆方向（開閉方向）に移動する。【００３３】
第１リング部材２２０は、綴じリング２１２を構成する半環状形の上綴じリング部２２２と、綴じリング２１２を構成する半環状形の下綴じリング部２２４とを有し、上綴じリング部２２２は、その下端に枢軸部２２６が形成され、その上端には接合部２２８が形成され、下綴じリング部２２４は、上綴じリング部２２２と同様に、その下端には枢軸部２３０が形成され、その上端には接合部２３２が形成されている。
接合部２２８は、その先端に凹部２２８ａが形成され、接合部２３２は、その先端に凸部２３２ａが突設されている。【００３４】
上綴じリング部２２２と下綴じリング部２２４とは、上綴じリング部２２２の下端の枢軸部２２６と下綴じリング部２２４の下端の枢軸部２３０との間において互いに対向するように、連結部２３４により連結されている。
そして、枢軸部２２６と枢軸部２３０とは、上綴じリング部２２２及び下綴じリング部２２４の開閉方向と直交する方向に突き出し設けられ、枢軸部２２６は下綴じリング部２２４側に、枢軸部２３０は上綴じリング部２２２側に向けて突き出し設けられている。
連結部２３４は、上綴じリング部２２２の枢軸部２２６と下綴じリング部２２４の枢軸部２３０とに連結され、連結部２３４は、その中央に向かうに従って上綴じリング部２２２の接合部２２８と下綴じリング部２２４の接合部２３２に向けて突き出るように湾曲された湾曲部２３６が形成されている。
湾曲部２３６は、開閉機構２１６のレバー２１４の思案点を備えるように、その上面に凹凸が形成されている。【００３５】
第２リング部材２４０は、綴じリング２１２を構成する半環状形の上綴じリング部２４２と、綴じリング２１２を構成する半環状形の下綴じリング部２４４とを有し、上綴じリング部２４２は、その下端に枢軸部２４６が形成され、その上端には接合部２４８が形成され、下綴じリング部２４４は、上綴じリング部２４２と同様に、その下端には枢軸部２５０が形成され、その上端には接合部２５２が形成されている。
接合部２４８は、その先端に凸部２４８ａが形成され、接合部２５２は、その先端に凹部２５２ａが穿設されている。
上綴じリング部２４２と下綴じリング部２４４とは、上綴じリング部２４２の下端の枢軸部２４６と下綴じリング部２４４の下端の枢軸部２５０との間において互いに対向するように、連結部２５４により連結されている。
そして、枢軸部２４６と枢軸部２５０とは、上綴じリング部２４２及び下綴じリング部２４４の開閉方向と直交する方向に突き出し設けられ、枢軸部２４６は下綴じリング部２４４側に、枢軸部２５０は上綴じリング部２４２側に向けて突き出し設けられている。
連結部２５４は、上綴じリング部２４２の枢軸部２４６と下綴じリング部２４４の枢軸部２５０とに連結され、連結部２５４は、その中央に向かうに従って上綴じリング部２４２の接合部２４８と下綴じリング部２４４の接合部２５２に向けて突き出るように湾曲された湾曲部２５６が形成されている。
湾曲部２５６は、開閉機構２１６のレバー２１４の思案点を備えるように、その上面に凹凸が形成されている。【００３６】
第１リング部材２２０の上綴じリング部２２２及び下綴じリング部２２４は、基板２１８の左端縁近傍に枢軸部２２６及び枢軸部２３０が形成され、その枢軸部２２６及び枢軸部２３０とは反対側の先端で基板２１８の幅方向の中央近傍に接合部２２８及び接合部２３２が形成され、また、第２リング部材２４０の上綴じリング部２４２及び下綴じリング部２４４は、基板２１８の右端縁近傍に枢軸部２４６及び枢軸部２５０が形成され、その枢軸部２４６及び枢軸部２５０とは反対側の先端で基板２１８の幅方向の中央近傍に接合部２４８及び接合部２５２が形成されている。【００３７】
第１リング部２２０の綴じリング２１２及び第２リング部２４０の綴じリング２１２は、第１リング部材２２０の枢軸部２２６及び枢軸部２３０と第２リング部材２４０の枢軸部２４６及び枢軸部２５０との間における中央で基板２１８の幅方向の中央近傍において、第１リング部材２２０の接合部２２８と第２リング部材２４０の接合部２４８とは接合し凹部２２８ａと凸部２４８ａとが係合して、閉じたループを形成する横長の長円のリング状に形成されるとともに、第１リング部材２２０の接合部２３２と第２リング部材２４０の接合部２５２とは接合し凸部２３２ａと凹部２５２ａとが係合して、閉じたループを形成する横長の長円のリング状に形成されている。
すなわち、綴じリング２１２は、上綴じリング部２２２と上綴じリング部２４２とが倒Ｃ字型リング状に形成されるとともに下綴じリング部２２４と下綴じリング部２４４とが倒Ｃ字型リング状に形成されて、上下一対の綴じリングが形成される。【００３８】
第１リング部材２２０の連結部２３４の湾曲部２３６と第２リング部材２４０の連結部２５４の湾曲部２５６とは、基板２１８の中央付近において接近するように湾曲されている。そして、湾曲部２３６と湾曲部２５６とは基板２１８の長手方向に向けて略平行に伸び、第１リング部材２２０の連結部２３４と第２リング部材２４０の連結部２５４の間に、開閉機構２１６が設けられるように適宜な間隔が設けられている。【００３９】
基板２１８は、第１リング部材２２０の枢軸部２２６及び枢軸部２３０を枢支する枢軸受け２６０及び枢軸受け２６２と、第２リング部材２４０の枢軸部２４６及び枢軸部２５０を枢支する枢軸受け２６４及び枢軸受け２６６とが、四隅みに設けられている。
この実施の形態における基板２１８においては、枢軸受け２６０、２６２、２６４、２６６は、基板２１８を略コ字型に打ち抜き、打ち抜いてなる舌片をカールしてなる。【００４０】
基板２１８の中央には、綴じリング２１２の開閉機構２１６が設けられている。
この実施の形態においては、開閉機構２１６は、基板２１８の略中央において基板２１８を打ち抜き上方に向けて折曲してなるレバー軸受け２７０を備えている。
レバー軸受け２７０は、その上部に軸孔２７２が穿設され、軸孔２７２の下部にはレバー２１４の作動を許容するための凹み２７４が形成され、後述するようにレバー２１４が回動自在に固定されている。【００４１】
レバー２１４は、略直線状のレバー本体２８０と、レバー本体２８０の上端（向こう側）に下方に向けて屈曲されてレバー本体２８０と直交する方向に突設された棒体２８２と、レバー本体２８０の下端（手前側）に上方に向けて屈曲されレバー本体２８０と直交する方向に突設された略Ｌ字型の操作部２８４とを有する。
棒体２８２は、軸孔２８２ａが穿設され、軸孔２８２ａの直下で、レバー本体２８０と棒体２８２とが連結された屈曲部には、第１リング部材２２０の連結部２３４の湾曲部２３６を転動する第１固定部２８６と第２リング部材の連結部２５４の湾曲部２５６を転動する第２固定部２８８とが、回動自在に固定されている。【００４２】
レバー２１４は、棒体２８２の軸孔２８２ａと基板２１８のレバー軸受け２７０の軸孔２７２とに貫設された枢軸２９０により、第１リング部材２２０の綴じリング１２及び第２リング部材２２４の綴じリング２１２の開閉方向と直交する方向に向けて回動することができるように形成されている。【００４３】
第１リング部材２２０の湾曲部２３６及び第２リング部材２４０の湾曲部２５６は、レバー軸受け２７０の軸孔２７２の下部付近において、レバー２１４の第１固定部２８６と第２固定部２８８がいちばん下の位置まで降ろされたときにレバー機構の思案点を越えるように、上方に向けて膨出した凸部２３６ａ及び凸部２５６ａが形成されている。
そして、レバー２１４の第１固定部２８６は、第１リング部材２２０の湾曲部２３６上を転動し、レバー２１４の第２固定部２８８は、第２リング部材２４０の湾曲部２５６上を転動するように構成され、枢軸２９０を中心にして水平の位置（綴じリング２１２の閉じた状態）から、綴じリング２１２の開閉方向と直交する方向に向けて回動するように構成されている。【００４４】
開閉機構２１６は、綴じリング２１２を開く方向に付勢する押し上げ部材３００を備える。
押し上げ部材３００は、第１リング部材２２０の湾曲部２３６及び第２リング部材２４０の下部に当接する位置に設けられた押し上げ棒３０２を有し、押し上げ棒３０２は、棒体２８２の下端において湾曲部２３６及び湾曲部２５６の下部に突き出し設けられている。
そして、押し上げ部材３００の押し上げ棒３０２は、枢軸２９０を中心にして、綴じリング２１２を綴じた状態から開いた状態にするために、レバー２１４を回動すれば、前方（向こう側）から後方（手前側）に向けて押し上げ棒３０２が移動し、棒体２８２の回動に伴い上昇して湾曲部２３６及び湾曲部２５６を上に向けて押し上げる。
押し上げ部材３００の押し上げ力によって、第１リング部材２２０は、枢軸部２２６及び枢軸部２３０を中心にして反時計回り方向に開き、第２リング部材２４０は、枢軸部２４６及び枢軸部２５０を中心にして時計回り方向に開く。【００４５】
第１リング部材２２０及び第２リング部材２４０の綴じリング２１２が開状態にあるレバー２１４を上方に向けて動かし、第１固定部２８６及び第２固定部２８８が第１リング部材２２０の湾曲部２３６及び第２リング部材２４０の湾曲部２５６上を転動し、下方（手前側）に向けて移動するので、第１固定部２８６及び第２固定部２８８は、第１リング部材２２０の湾曲部２３６及び第２リング部材２４０の湾曲部２５６を押し下げることがなくなり、押し上げ部材３００の付勢力により第１リング部材２２０の湾曲部２３６及び第２リング部材２４０の湾曲部２５６を上方に向けて押し上げる。
これによって、第１リング部材２２０の接合部２２８と第２リング部材２４０の接合部２４８とが及び第１リング部材２２０の接合部２３２と第２リング部材２４０の接合部２５２とが離間する方向に向けて作動して、第１リング部材２２０の綴じリング２１２は、枢軸部２２６及び枢軸部２３０を通る垂直線より略２０度開き、第２リング部材２４０の綴じリング２１２は、枢軸部２４６及び枢軸部２５０を通る垂直線より略２０度開く。すなわち、第１リング部材２２０は、反時計回り方向に向けて回転して開き、第２リング部材２４０は時計回り方向に向けて回転して開く。【００４６】
第１リング部材２２０の上綴じリング部２２２及び下綴じリング部２２４と第２リング部材２４０の上綴じリング部２４２及び下綴じリング部２４４とが開くことにより、レバー２１４の作動領域が開放され、レバー２１４は、第１リング部材２２０及び第２リング部材２４０の綴じリング２１２の間を通過して基板２１８の上方（向こう側）まで回動させ、基板２１８の上面に近接した水平状態に固定させることができる。
したがって、レバー２１４に妨げられることなく、第２リング部材４０の上綴じリング部２４２及び第２リング部材２４０の下綴じリング部２４４に、用箋等の被綴じ物Ｘの綴じ孔Ｘ1を貫挿させて被綴じ物Ｘを差し込むことができる。
そして、被綴じ物Ｘを貫挿させた後、レバー２１４を下方（手前側）に向けて回動することにより、再び第１固定部２８６及び第２固定部２８８が第１リング部材２２０の湾曲部２３６及び第２リング部材２４０の湾曲部２５６を押し下げ、押し上げ部材３００の付勢力に抗して、レバー２１４を押し下げると、レバー２１４は、思案点を越えた位置において固定されるとともに第１リング部材２２０及び第２リング部材２４０の綴じリング２１２は定位置で固定される。【００４７】
この綴じ具２１０は、ファイルの表紙Ｃの背板Ｃ1に、基板２１８に設けられた４つの取付孔２１８ａに鋲などを貫設して取り付けられる。【００４８】
図１７は、この発明の一実施の形態である綴じ具の斜視図解図である。
図１８は、図１７図示綴じ具の平面図である。
図１９は、図１７図示綴じ具の背面図である。
図２０ないし図２３は、図１７図示綴じ具の作動状態を示す左側面図である。
図２４および図２５は、図１７図示綴じ具の作動状態を示す正面図である。
図２６は、図１７図示綴じ具の作動状態を示す斜視図解図である。
図２７は、図１７図示綴じ具の分解斜視図である。
図２８は、図１７図示綴じ具の基板の加工前における平面図である。
【００４９】
この綴じ具４１０は、ファイル・バインダ類の綴じ具、特に、Ａ−Ｚファイルに用いられる綴じ具であり、用箋等の被綴じ物Ｘの綴じ孔Ｘ1に貫挿される綴じリング４１２が、回動するレバー４１４を含む開閉機構４１６によって、基板４１８の近傍の枢軸を中心として接線方向に向けて回転して開閉されるように、基板４１８に開閉自在に固定されてなる。【００５０】
綴じ具４１０は、一対の第１リング部材４２０と第２リング部材４４０とを備え、第１リング部材４２０と第２リング部材４４０とは、円柱状の金属製線材を湾曲した一体成形もので、略対称形に構成されている。
第１リング部材４２０の綴じリング４１２と第２リング部材４４０の綴じリング４１２は、綴じリング４１２の接線方向に回動して、閉じたループを形成する閉位置から分離した開位置方向またはその逆方向（開閉方向）に移動する。【００５１】
第１リング部材４２０は、綴じリング４１２を構成する半環状形の上綴じリング部４２２と、綴じリング４１２を構成する半環状形の下綴じリング部４２４とを有し、上綴じリング部４２２は、その下端に枢軸部４２６が形成され、その上端には接合部４２８が形成され、下綴じリング部４２４は、上綴じリング部４２２と同様に、その下端には枢軸部４３０が形成され、その上端には接合部４３２が形成されている。
接合部４２８は、その先端に凹部４２８ａが形成され、接合部４３２は、その先端に凸部４３２ａが突設されている。【００５２】
上綴じリング部４２２と下綴じリング部４２４とは、上綴じリング部４２２の下端の枢軸部４２６と下綴じリング部４２４の下端の枢軸部４３０との間において互いに対向するように、連結部４３４により連結されている。
そして、枢軸部４２６と枢軸部４３０とは、上綴じリング部４２２及び下綴じリング部４２４の開閉方向と直交する方向に突き出し設けられ、枢軸部４２６は下綴じリング部４２４側に、枢軸部４３０は上綴じリング部４２２側に向けて突き出し設けられている。
連結部４３４は、上綴じリング部４２２の枢軸部４２６と下綴じリング部４２４の枢軸部４３０とに連結され、連結部４３４は、その中央に向かうに従って上綴じリング部４２２の接合部４２８と下綴じリング部４２４の接合部４３２に向けて突き出るように湾曲された湾曲部４３６が形成されている。
湾曲部４３６は、開閉機構４１６のレバー４１４の思案点を備えるように、その上面に凹凸が形成されている。【００５３】
第２リング部材４４０は、綴じリング４１２を構成する半環状形の上綴じリング部４４２と、綴じリング４１２を構成する半環状形の下綴じリング部４４４とを有し、上綴じリング部４４２は、その下端に枢軸部４４６が形成され、その上端には接合部４４８が形成され、下綴じリング部４４４は、上綴じリング部４４２と同様に、その下端には枢軸部４５０が形成され、その上端には接合部４５２が形成されている。
接合部４４８は、その先端に凸部４４８ａが形成され、接合部４５２は、その先端に凹部４５２ａが穿設されている。【００５４】
上綴じリング部４４２と下綴じリング部４４４とは、上綴じリング部４４２の下端の枢軸部４４６と下綴じリング部４４４の下端の枢軸部４５０との間において互いに対向するように、連結部４５４により連結されている。
そして、枢軸部４４６と枢軸部４５０とは、上綴じリング部４４２及び下綴じリング部４４４の開閉方向と直交する方向に突き出し設けられ、枢軸部４４６は下綴じリング部４４４側に、枢軸部４５０は上綴じリング部４４２側に向けて突き出し設けられている。
連結部４５４は、上綴じリング部４４２の枢軸部４４６と下綴じリング部４４４の枢軸部４５０とに連結され、連結部４５４は、その中央に向かうに従って上綴じリング部４４２の接合部４４８と下綴じリング部４４４の接合部４５２に向けて突き出るように湾曲された湾曲部４５６が形成されている。
湾曲部４５６は、開閉機構４１６のレバー４１４の思案点を備えるように、その上面に凹凸が形成されている。【００５５】
第１リング部材４２０の上綴じリング部４２２及び下綴じリング部４２４は、基板４１８の左端縁近傍に枢軸部４２６及び枢軸部４３０が形成され、その枢軸部４２６及び枢軸部４３０とは反対側の先端で基板４１８の幅方向の中央近傍に接合部４２８及び接合部４３２が形成され、また、第２リング部材４４０の上綴じリング部４４２及び下綴じリング部４４４は、基板４１８の右端縁近傍に枢軸部４４６及び枢軸部４５０が形成され、その枢軸部４４６及び枢軸部４５０とは反対側の先端で基板４１８の幅方向の中央近傍に接合部４４８及び接合部４５２が形成されている。
枢軸部４２６及び枢軸部４３０を通る垂直面Ｗ1と接合された接合部４４８及び接合部４５２を通る垂直面Ｗ0との間の長さＤ1は、接合部４２８及び接合部４３２を通る垂直面Ｗ2と、接合された接合部４４８及び接合部４５２を通る垂直面Ｗ0との間の長さＤ2と、同一である。
上綴じリング部４２２及び下綴じリング部４２４の最も左端を垂直面Ｗ3と枢軸部４２６及び枢軸部４３０を通る垂直面Ｗ1との間の長さＤ3は、上綴じリング部４４２及び下綴じリング部４４４の最も右端を通る垂直面Ｗ4と枢軸部４４６及び枢軸部４５０を通る垂直面Ｗ2との間の長さＤ4と同一である。
上綴じリング部４２２及び下綴じリング部４２４の最も左端を通る垂直面Ｗ3と基板４１８の左端縁を通る垂直面Ｗ5との間の長さは、上綴じリング部４４２及び下綴じリング部４４４の最も右端を通る垂直面Ｗ4と基板４１８の右端縁を通る垂直面Ｗ6との間の長さと同一である。【００５６】
第１リング部材４２０の綴じリング４１２及び第２リング部材４４０の綴じリング４１２は、第１リング部材４２０の枢軸部４２６及び枢軸部４３０と第２リング部材４４０の枢軸部４４６及び枢軸部４５０との間における中央で基板４１８の幅方向の中央近傍において、第１リング部材４２０の接合部４２８と第２リング部材４４０の接合部４４８とは接合し凹部４２８ａと凸部４４８ａとが係合して、閉じたループを形成する横長の長円のリング状に形成されるとともに、第１リング部材４２０の接合部４３２と第２リング部材４４０の接合部４５２とは接合し凸部４３２ａと凹部４５２ａとが係合して、閉じたループを形成する横長の長円のリング状に形成されている。
すなわち、綴じリング４１２は、上綴じリング部４２２と上綴じリング部４４２とが倒Ｃ字型リング状に形成されるとともに下綴じリング部４２４と下綴じリング部４４４とが倒Ｃ字型リング状に形成されて、上下一対の綴じリングが形成される。【００５７】
第１リング部材４２０の連結部４３４の湾曲部４３６と第２リング部材４４０の連結部４５４の湾曲部４５６とは、基板４１８の中央付近において接近し、略平行に並び、その間に開隙部４６８が形成されるように湾曲されている。そして、湾曲部４３６と湾曲部４５６とは基板４１８の長手方向に向けて略平行に伸び、第１リング部材４２０の連結部４３４と第２リング部材４４０の連結部４５４の間に、開閉機構４１６が設けられるように適宜な間隔が設けられている。【００５８】
基板４１８は、第１リング部材４２０の枢軸部４２６及び枢軸部４３０を枢支する枢軸受け４６０及び枢軸受け４６２と、第２リング部材４４０の枢軸部４４６及び枢軸部４５０を枢支する枢軸受け４６４及び枢軸受け４６６とが、四隅みに設けられている。
すなわち、基板４１８の左端縁を通る垂直面Ｗ5と基板４１８の右端縁を通る垂直面Ｗ6との間の中央を通る垂直面Ｗ0上において、接合部４４８及び接合部４５２が接合するように、枢軸部４２６，接合部４２８，枢軸部４３０，接合部４３２が基板４１８に設けられている。
この実施の形態における基板４１８においては、枢軸受け４６０、４６２、４６４、４６６は、基板４１８を略コ字型に打ち抜き、打ち抜いてなる舌片を、基板４１８の下面から上方に向けて打ち出しカールしてなる。【００５９】
基板４１８の中央には、綴じリング４１２の開閉機構４１６が設けられている。
この実施の形態においては、開閉機構４１６は、基板４１８の略中央において基板４１８を打ち抜き上方に向けて折曲して平行に立設され、左右一対の軸受部が対向するように形成されたレバー軸受け４７０を備えている。
レバー軸受４７０は、一枚板状の基板４１８の長手方向の中央線（Ｗ0に対応）を境にして、両側縁側に適宜な間隔を有する平行線上で対向するように、平行に基板４１８上に立設された鴟尾形の第１軸受部４７０ａと第２軸受部４７０ｂとからなり、第１軸受部４７０ａと第２軸受部４７０ｂとは、その中央線の中心を中心として点対称に形成されている。
より詳細に説明すると、第１軸受部４７０ａの基部４７０ａ１の一方端と他方端と、第２軸受部４７０ｂの基部４７０ｂ１の一方端と他方端とは、基板４１８の長手方向中央線から同一間隔をおいて、且つ、基板４１８の長手方向の中心より同一距離をおいて、基板４１８より立ち上げられている。第１軸受部４７０ａと第２軸受部４７０ｂとは、いずれも基部４７０ａ１および基部４７０ｂ１は長手方向に延び、基部４７０ａ１および基部４７０ｂ１の一端部側より上方に向けて突き出された首部４７０ａ２および首部４７０ｂ２と、その上部に内方に向けて突き出された、頭部４７０ａ３および頭部４７０ｂ３を備えている。
レバー軸受け４７０は、その頭部４７０ａ３および頭部４７０ｂ３に軸孔４７２ａおよび軸孔４７２ｂが穿設され、後述するようにレバー４１４が回動自在に固定されている。
また、第１軸受部４７０ａの基部４７０ａ１の一端部側における下端部分には、２箇所に所定の間隔で支え部４７０ａ４が設けられ、同様に、第２軸受部４７０ｂの基部４７０ｂ１の一端部側における下端部分には、２箇所に所定の間隔で支え部４７０ｂ４が設けられている。【００６０】
基板４１８は、平面略長方形の金属製板材の外周縁近傍及び四隅の取付孔４１８ａ近傍を残して、略全体が底面側より平面側に向けて膨出されて強度が増加され、後述する付勢部材５００の収容スペースを形成するとともに、第１軸受部４７０ａ及び第２軸受部４７０ｂ、枢軸受け４６０、枢軸受け４６２、枢軸受け４６４及び枢軸受け４６６が、予め形成された打ち抜き細孔（スリット）により区画された領域を、底面側より平面側に向けて打ち出して、所定形状に成形されている。
更に、基板４１８は、前記基板４１８の略全体の膨出時において、付勢部材取付部４１８ｂを形成するために、基板４１８に予め形成された打ち抜き細孔（スリット）により膨出する部位と残存する部位とを区画して、区画された領域を残存させたり折り曲げて、付勢部材取付部４１８ｂが成形されている。
支え部４７０ａ４及び支え部４７０ｂ４は、第１軸受部４７０ａの基部４７０ａ１及び第２軸受部４７０ｂの基部４７０ｂ１の下部を底面側より平面側に打ち出し成形されている。【００６１】
図２８に示すように、第１軸受部４７０ａおよび第２軸受部４７０ｂは、一枚板状の金属製基板４１８に二つ巴状に形成され、第１軸受部４７０ａおよび第２軸受部４７０ｂは、一枚板状の基板４１８より打ち出されることで形成される。
すなわち、一枚板状の基板４１８には、第１軸受部４７０ａの首部４７０ａ２に第２軸受部４７０ｂの頭部４７０ｂ３が位置し、第２軸受部４７０ｂの首部４７０ｂ２に第１軸受部４７０ａの頭部４７０ａ３が位置するように形成されている。そして、第１軸受部４７０ａの頭部４７０ａ３および第２軸受部４７０ｂの頭部４７０ｂ３に穿設された軸孔４７２ａおよび軸孔４７２ｂのそれぞれの中心は、一枚板状の基板４１８の長手方向とは直行する直線状に並ぶように形成される。
そして、第１リング部材４２０の湾曲部４３６と第２リング部材４４０の湾曲部４５６とは、第１軸受部４７０ａおよび第２軸受部４７０ｂの内側部に配置される。【００６２】
レバー４１４は、略直線状のレバー本体４８０と、レバー本体４８０の上端（向こう側）に上方に向けて屈曲されて突設された棒体４８２と、棒体４８２の自由端側においてレバー本体４８０の下端（手前側）に上方に向けて屈曲されレバー本体４８０と直交する方向に突設された略Ｌ字型の操作部４８４とを有し、レバー４１４を開く位置に回動したとき、綴じリング４１２を有する第１リング部材４２０と第２リング部材４４０とが同時に開き、レバー４１４を閉じる位置に回動したとき、綴じリング４１２を有する第１リング部材４２０と第２リング部材４４０とが同時に閉じるように形成されている。棒体４８２には、軸孔４８２ａが穿設されている。
レバー４１４は、棒体４８２の先端に固定された枢軸部材４８５により、第１リング部材４２０の綴じリング４１２及び第２リング部材４２４の綴じリング４１２の開閉方向と直交する方向に向けて回動することができるように形成されている。
レバー４１４は、レバー本体の先端（操作部４８４とは反対側端）において、前記第１軸受部４７０ａと第２軸受部４７０ｂとの間に介装された枢軸部材４８５に固定され、枢軸部材４８５は、レバー軸受け４７０における軸孔４７２ａおよび軸孔４７２ｂに、枢軸４９０により固定されている。【００６３】
枢軸部材４８５は、左右に第１軸受部４７０ａと第２軸受部４７０ｂとの間に挟まれて接合する平面状左側部４８５ａと平面状右側部４８５ｂとを備えた、合成樹脂製略円盤状本体４８５ｃと、略円盤状本体４８５ｃの手前端にレバー取付部４８５ｄが形成され、略円盤状本体４８５ｃの向こう側端、すなわち、レバー取付部４８５ｄとは反対側端には、略円盤状本体４８５ｃの下部から上部に亘って、平面状左側部４８５ａ側縁および平面状右側部４８５ｂ側縁より適宜な幅（綴じリング４１２の閉じた状態における湾曲部４３６および湾曲部４５６の形状及び位置に対応する）を有する、左右一対の転動部４８５ｅおよび転動部４８５ｆが連続して形成されている。
左右一対の転動部４８５ｅおよび転動部４８５ｆは、回動して、綴じリング４１２を閉じた状態にしたときにおける位置から綴じリング４１２を開いた状態にしたときにおける位置まで又その逆において同一の軌跡を描くように、同一形状のルートが形成されている。
転動部４８５ｅおよび転動部４８５ｆの上部は、レバー４１４を開く位置にしたとき、すなわちレバー４１４が回動されて綴じリング４１２が開けられたとき、第１リング部材４２０の湾曲部４３６および第２リング部材４４０の湾曲部４５６を押し下げることがないように、また、第１リング部材４２０および第２リング部材４４０が開いた状態を維持するために、枢軸４９０側に下げられ、枢軸４９０との距離（Ｌ１）は短く、一方、転動部４８５ｅおよび転動部４８５ｆの下部は、レバー４１４を閉じる位置、すなわちレバー４１４が回動されて綴じリング４１２が閉じられたとき、第１リング部材４２０の湾曲部４３６および第２リング部材４４０の湾曲部４５６を押し下げて、第１リング部材４２０および第２リング部材４４０を閉じた状態に固定するように、枢軸４９０側より長く、枢軸４９０との距離（Ｌ２）は、長い。【００６４】
転動部４８５ｅおよび転動部４８５ｆの最終端、すなわち、略円盤状本体４８５ｃの略中央に突設された枢軸孔４８５ｉを通過する垂直線上の下部において、図２９において示すように、レバー４１４を回動して綴じリング４１２を開閉するに従って回転する枢軸部材４８５が第１リング部材４２０の湾曲部４３６と第２リング部材４４０の湾曲部４５６との上面を固定するための第１固定部４８６が下方に向けて突設されている。
第１固定部４８６は、その先端が湾曲部４３６の突起部分４３６ａと湾曲部４５６の突起部分４５６ａを押さえつけるように固定するために側面視断面円弧状に形成されている。
第１固定部４８６は、第１リング部材４２０と第２リング部材４４０とが完全に閉じた状態にあるときにおいて、凸部４３６ａ及び凸部４５６ａを乗り越えて、凸部４３６ａ及び凸部４５６ａの斜面、すなわち、第１リング部材４２０及び第２リング部材４４０を開いたときのレバー４１４が位置する側（向こう側）の上面に係合される。
レバー４１４を向こう側に回し、上綴じリング部４２２と下綴じリング部４２４とを開いた状態としたときに、第１リング部材４２０の湾曲部４３６と第２リング部材４４０の湾曲部４５６との間に貫挿されて、一旦開いた第１リング部材４２０と第２リング部材４４０とが閉じることがないように第１リング部材４２０と第２リング部材４４０とを開いた状態で固定するための規制部４８５ｇが、転動部４８５ｅと転動部４８５ｆとの間に突設されている。
そして、規制部４８５ｇは、レバー４１４を回動して綴じリング４１２を開き始めたときに、第１リング部材４２０の湾曲部４３６と第２リング部材４４０の湾曲部４５６との間に入り込み始め、更にレバーを回動するに従って徐々に第１リング部材４２０の湾曲部４３６と第２リング部材４４０の湾曲部４５６との間を無理に拡開しながら、レバー４１４を回動させるようにするために、上方に行くに従ってその幅が湾曲部４３６および湾曲部４５６側に向けて拡がる正面視テーパ状の突条に形成されている。
規制部４８５ｇは、枢軸部材４８５の回転軌道上の転動部４８５ｅおよび転動部４８５ｆに沿って形成されることから、第１リング部材４２０と第２リング部材４４０が閉じる方向に作用された場合でも、第１リング部材４２０の湾曲部４３６と第２リング部材４４０の湾曲部４５６との間に規制部４８５ｇが入り込むことから、第１リング部材４２０と第２リング部材４４０が閉じないようにすることができる。
規制部４８５ｇは、レバー４１４を回動するに従って、徐々に第１リング部材４２０の湾曲部４３６との間に入り込み、拡開しながら回動するように、上方に行くに従ってその幅が拡がる正面視テーパ状の突条であることから、枢軸部材４８５が回動したときに、テーパ状の規制部４８５ｇが第１リング部材４２０と第２リング部材４４０の間に楔が入るように徐々に入り込むことにより、第１リング部材４２０と第２リング部材４４０の拡開を容易とすることができる。【００６５】
規制部４８５ｇは、更に、略円盤状本体４８５ｃの上部（第１リング部材４２０と第２リング部材４４０とが閉じた状態における）にまで連続して形成され、最上部には、側面視鶴首状の係止部４８５ｈが突設されている。
係止部４８５ｈは、略円盤状本体４８５ｃの略中央に突設された、枢軸孔４８５ｉを通過する垂直線上の上部において形成されている。【００６６】
第１リング部材４２０の湾曲部４３６及び第２リング部材４４０の湾曲部４５６は、レバー４１４を開閉するとき、すなわちレバー４１４を回動して綴じリング４１２を開閉するとき、転動部４８５ｅおよび転動部４８５ｆが、その上面を転動するように形成され、レバー軸受け４７０の軸孔４７２の下部付近において、レバー４１４の第１固定部４８６がいちばん下の位置まで降ろされたときにレバー機構の思案点を越えるように、上方に向けて膨出した凸部４３６ａ及び凸部４５６ａが形成されている。
そして、レバー４１４の第１固定部４８６は、第１リング部材４２０の湾曲部４３６上を転動し、且つ、第２リング部材４４０の湾曲部４５６上を転動するように構成され、枢軸４９０を中心にして水平の位置（綴じリング４１２の閉じた状態）から、綴じリング４１２の開閉方向と直交する方向に向けて回動するように構成されている。
また、枢軸部材４８５における第１固定部４８６の上部には、第１リング部材４２０および第２リング部材４４０を固定する際に、第１固定部４８６により第１リング部材４２０の湾曲部４３６および第２リング部材４４０の湾曲部４５６を押す力を吸収するための吸収孔部４８５ｊが形成されている。【００６７】
開閉機構４１６は、綴じリング４１２を開く方向に付勢する付勢部材５００を備える。
付勢部材５００は、平面コ字形の押し上げ部５０６と押し上げ部５０６の両端に外方に向け突設された平面略Ｌ字型の固定部５０４ａ及び平面略Ｌ字型の固定部５０４ｂとを備え、固定部５０４ａ及び固定部５０４ｂにおいて、基板４１８の裏面で枢軸受け４６２および枢軸受け４６６近傍裏面において、基板４１８に形成された付勢部材取付部４１８ｂ及び付勢部材取付部４１８ｂにより固定され、押し上げ部５０６が基板４１８の略中央において、第１リング部材４２０の連結部４３４と第２リング部材４４０の連結部４５４との間から内方に向け突き出し設けて、湾曲部４３６および湾曲部４５６の下面から湾曲部３６および湾曲部４５６を押し上げ、第１リング部材４２０と第２リング部材４４０とを開くように付勢している。
すなわち、第１リング部材４２０の湾曲部４３６の下方（レバーの思案点より下方（手前側））に当接し、且つ第２リング部材４４０湾曲部４５６の下方（レバーの思案点より下方（手前側））に当接して、湾曲部４３６及び湾曲部４５６を上方に向けて押し上げるように付勢している。
付勢部材５００の付勢力によって、第１リング部材４２０は、枢軸部４２６及び枢軸部３０を中心にして反時計回り方向（正面視）に開き、第２リング部材４４０は、枢軸部４４６及び枢軸部４５０を中心にして時計回り方向（正面視）に開く。
また、押し上げ部５０６の自由端の先端部５０６ａは、レバー４１４を回動して綴じリング４１２を開くように回転した枢軸部材４８５の係止部４８５ｈが係止されるような位置に形成され、押し上げ部５０６の先端部５０６ａに枢軸部材４８５の係止部４８５ｈが固定されて、レバー４１４が綴じリング４１２を開いた状態を維持するように堅固に固定される。【００６８】
付勢部材５００は、基板４１８の幅方向における中央付近に形成された付勢部材取付部４１８ｂにより、押し上げ部５０６の根元近傍及び固定部５０４ａ及び固定部５０４ｂの押し上げ部５０６側近傍を固定されるとともに、固定部５０４ａ及び固定部５０４ｂの先端（自由端）を基板４１８の左右端縁の長手方向の中心近傍の付勢部材取付部４１８ｂに固定される。【００６９】
第１リング部材４２０の綴じリング４１２及び第２リング部材４４０の綴じリング４１２が閉状態（図２０図示）にあるレバー４１４を、図２１に示すように、上方に向けて動かし、第１固定部４８６が第１リング部材４２０の湾曲部４３６及び第２リング部材４４０の湾曲部４５６上を転動し、下方（手前側）に向けて移動するので、第１固定部４８６は、第１リング部材４２０の湾曲部４３６及び第２リング部材４４０の湾曲部４５６を押し下げることがなくなり、付勢部材５００の付勢力により第１リング部材４２０の湾曲部４３６及び第２リング部材４４０の湾曲部４５６を上方に向けて押し上げる。
このように、図２１に示すように、レバー４１４を上方（向こう側）に回動すると、枢軸部材４８５における規制部４８５ｇがテーパ状に形成されていることから、第１リング部材４２０の湾曲部４３６と第２リング部材４４０の湾曲部４５６との間に楔のように入り込み始め（図２４参照）、さらに、図２２に示すように、レバー４１４を回動するに従って、徐々に第１リング部材４２０の湾曲部４３６と第２リング部材４５６との間を無理に拡開することになる（図２５参照）。
これによって、第１リング部材４２０の接合部４２８と第２リング部材４４０の接合部４４８とが及び第１リング部材４２０の接合部４３２と第２リング部材４４０の接合部４５２とが離間する方向に向けて作動して、第１リング部材４２０の綴じリング４１２は、枢軸部４２６及び枢軸部４３０を通る垂直線より略２０度開き、第２リング部材４４０の綴じリング４１２は、枢軸部４４６及び枢軸部４５０を通る垂直線より略２０度開く。すなわち、第１リング部材４２０は、反時計回り方向（正面視）に向けて回転して開き、第２リング部材４４０は時計回り方向（正面視）に向けて回転して開く。【００７０】
第１リング部材４２０の上綴じリング部４２２及び下綴じリング部４２４と第２リング部材４４０の上綴じリング部４４２及び下綴じリング部４４４とが開くことにより、レバー４１４の作動領域が開放され、レバー４１４は、第１リング部材４２０及び第２リング部材４４０の綴じリング４１２の間を通過して基板４１８の向こう側まで回動させ、図２３に示すように、基板４１８の上面に近接した水平状態に固定させることができる。
さらに、枢軸部材４８５の転動部４８５ｅおよび転動部４８５ｆは、それぞれ第１リング部材４２０の湾曲部４３６および第２リング部材４４０の湾曲部４５６を押さえつける効果を奏する。そして、枢軸部材４８５の係止部４８５ｈは、押し上げ部５０６の自由端の先端部５０６ａに固定されることで、第１リング部材４２０および第２リング部材４４０が閉じられる方向に働いたときに発生する第１リング部材４２０の湾曲部４３６および第２リング部材４４０の湾曲部４５６における下向きの力を、押し上げ部５０６の自由端の先端部５０６ａを介して枢軸部材４８５の係止部４８５ｈによって保持されることから、レバー４１４の開いた状態（綴じリング４１２が開いた状態）が維持されるように作用する。
したがって、レバー４１４に妨げられることなく、第２リング部材４４０の上綴じリング部４４２及び第２リング部材４４０の下綴じリング部４４４に、用箋等の被綴じ物の綴じ孔を貫挿させて被綴じ物を差し込むことができる。
また、第１リング部材４２０および第２リング部材４４０に対して、右側および左側からそれぞれ内側方向に力が作用されても、容易に閉じることを防止することができる。
そして、被綴じ物を貫挿させた後、レバー４１４を下方（手前側）に向けて回動することにより、再び第１固定部４８６が第１リング部材４２０の湾曲部４３６及び第２リング部材４４０の湾曲部４５６を押し下げ、付勢部材５００の付勢力に抗して、レバー４１４を押し下げると、レバー４１４は、思案点を越えた位置において固定されるとともに第１リング部材４２０及び第２リング部材４４０の綴じリング４１２は定位置で固定される。また、第１固定部４８６が第１リング部材４２０の湾曲部４３６および第２リング部材４４０の湾曲部４５６を強く押しすぎないようにするために、吸収孔部４８５ｊが第１固定部４８６による押さえる力を吸収する効果を奏する。
なお、この吸収孔部４８５ｊを設けることによって第１固定部４６８で第１リング部材４２０の湾曲部４３６および第２リング部材４４０の湾曲部４５６を押さえる力が弱くなるときは、吸収孔部４８５ｊは、形成されなくてもよい。【００７１】
この綴じ具４１０は、ファイルの表紙Ｃの背板Ｃ1に、基板４１８に設けられた４つの取付孔４１８ａに鋲などを貫設して取り付けられる。
ファイルの表紙Ｃの背板Ｃ1に固定された基板４１８の左端縁を通る垂直面Ｗ5とファイルの表紙Ｃの背板Ｃ1の左端縁の折り曲げ線を通る垂直面Ｗ7との間の長さＤ5は、基板１８の右端縁を通る垂直面Ｗ8とファイルの表紙Ｃの背板Ｃ1の右端縁の折り曲げ線を通る垂直面Ｗ8との間の長さＤ6は、同一である。【００７２】
また、この発明は、図３０ないし図４３に示すように変更することが可能である。
図３０は、この発明の一実施の形態である綴じ具の斜視図解図である。
図３１は、図３０図示綴じ具の綴じリングを開いた状態を示す斜視図解図である。
図３２は、図３０図示綴じ具の平面図である。
図３３は、図３０図示綴じ具の背面図である。
図３４ないし図３６は、図３０図示綴じ具の作動状態を示す左側面図である。
図３７ないし図３９は、図３０図示綴じ具の作動状態を示す正面図である。
図４０は、図３０図示綴じ具の分解斜視図である。
図４１および図４２は、図３０図示綴じ具の枢軸部材を示す斜視図解図である。
図４３は、図３０図示綴じ具の基板の加工前における正面図である。【００７３】
この綴じ具６１０は、ファイル・バインダ類の綴じ具、特に、Ａ−Ｚファイルに用いられる綴じ具であり、用箋等の被綴じ物Ｘの綴じ孔Ｘ1に貫挿される綴じリング６１２が、回動するレバー６１４を含む開閉機構６１６によって、基板６１８の近傍の枢軸を中心として接線方向に向けて回転して開閉されるように、基板６１８に開閉自在に固定されてなる。【００７４】
綴じ具６１０は、一対の第１リング部材６２０と第２リング部材６４０とを備え、第１リング部材６２０と第２リング部材６４０とは、円柱状の金属製線材を湾曲した一体成形もので、略対称形に構成されている。
第１リング部材６２０の綴じリング６１２と第２リング部材６４０の綴じリング６１２は、綴じリング６１２の接線方向に回動して、閉じたループを形成する閉位置から分離した開位置方向またはその逆方向（開閉方向）に移動する。【００７５】
第１リング部材６２０は、綴じリング６１２を構成する半環状形の上綴じリング部６２２と、綴じリング６１２を構成する半環状形の下綴じリング部６２４とを有し、上綴じリング部６２２は、その下端に枢軸部６２６が形成され、その上端には接合部６２８が形成され、下綴じリング部６２４は、上綴じリング部６２２と同様に、その下端には枢軸部６３０が形成され、その上端には接合部６３２が形成されている。
接合部６２８は、その先端に凸部６２８ａが形成され、接合部６３２は、その先端に凹部６３２ａが穿設されている。【００７６】
上綴じリング部６２２と下綴じリング部６２４とは、上綴じリング部６２２の下端の枢軸部６２６と下綴じリング部６２４の下端の枢軸部６３０との間において互いに対向するように、連結部６３４により連結されている。
そして、枢軸部６２６と枢軸部６３０とは、上綴じリング部６２２及び下綴じリング部６２４の開閉方向と直交する方向に突き出し設けられ、枢軸部６２６は下綴じリング部６２４側に、枢軸部６３０は上綴じリング部６２２側に向けて突き出し設けられている。
連結部６３４は、上綴じリング部６２２の枢軸部６２６と下綴じリング部６２４の枢軸部６３０とに連結され、連結部６３４は、その中央に向かうに従って上綴じリング部６２２の接合部６２８と下綴じリング部６２４の接合部６３２に向けて突き出るように湾曲された湾曲部６３６が形成されている。
湾曲部６３６は、開閉機構６１６のレバー６１４の思案点を備えるように、その上面に凹凸が形成されている。【００７７】
第２リング部材６４０は、綴じリング６１２を構成する半環状形の上綴じリング部６４２と、綴じリング６１２を構成する半環状形の下綴じリング部６４４とを有し、上綴じリング部６４２は、その下端に枢軸部６４６が形成され、その上端には接合部６４８が形成され、下綴じリング部６４４は、上綴じリング部６４２と同様に、その下端には枢軸部６５０が形成され、その上端には接合部６５２が形成されている。
接合部６４８は、その先端に凹部６４８ａが形成され、接合部６５２は、その先端に凸部６５２ａが突設されている。
上綴じリング部６４２と下綴じリング部６４４とは、上綴じリング部６４２の下端の枢軸部６４６と下綴じリング部６４４の下端の枢軸部６５０との間において互いに対向するように、連結部６５４により連結されている。【００７８】
そして、枢軸部６４６と枢軸部６５０とは、上綴じリング部６４２及び下綴じリング部６４４の開閉方向と直交する方向に突き出し設けられ、枢軸部６４６は下綴じリング部６４４側に、枢軸部６５０は上綴じリング部６４２側に向けて突き出し設けられている。
連結部６５４は、上綴じリング部６４２の枢軸部６４６と下綴じリング部６４４の枢軸部６５０とに連結され、連結部６５４は、その中央に向かうに従って上綴じリング部６４２の接合部６４８と下綴じリング部６４４の接合部６５２に向けて突き出るように湾曲された湾曲部６５６が形成されている。
湾曲部６５６は、開閉機構６１６のレバー６１４の思案点を備えるように、その上面に凹凸が形成されている。【００７９】
第１リング部材６２０の上綴じリング部６２２及び下綴じリング部６２４は、基板６１８の左端縁近傍に枢軸部６２６及び枢軸部６３０が形成され、その枢軸部６２６及び枢軸部６３０とは反対側の先端で基板６１８の幅方向の中央近傍に接合部６２８及び接合部６３２が形成され、また、第２リング部材６４０の上綴じリング部６４２及び下綴じリング部６４４は、基板６１８の右端縁近傍に枢軸部６４６及び枢軸部６５０が形成され、その枢軸部６４６及び枢軸部６５０とは反対側の先端で基板６１８の幅方向の中央近傍に接合部６４８及び接合部４５２が形成されている。
枢軸部６２６及び枢軸部６３０を通る垂直面Ｗ1と接合された接合部６４８及び接合部６５２を通る垂直面Ｗ0との間の長さＤ1は、接合部６２８及び接合部６３２を通る垂直面Ｗ2と、接合された接合部６４８及び接合部６５２を通る垂直面Ｗ0との間の長さＤ2と、同一である。
上綴じリング部６２２及び下綴じリング部６２４の最も左端を垂直面Ｗ3と枢軸部６２６及び枢軸部６３０を通る垂直面Ｗ1との間の長さＤ3は、上綴じリング部６４２及び下綴じリング部６４４の最も右端を通る垂直面Ｗ4と枢軸部６４６及び枢軸部６５０を通る垂直面Ｗ2との間の長さＤ4と同一である。
上綴じリング部６２２及び下綴じリング部６２４の最も左端を通る垂直面Ｗ3と基板６１８の左端縁を通る垂直面Ｗ5との間の長さは、上綴じリング部６４２及び下綴じリング部６４４の最も右端を通る垂直面Ｗ4と基板６１８の右端縁を通る垂直面Ｗ6との間の長さと同一である。【００８０】
第１リング部材６２０の綴じリング６１２及び第２リング部材６４０の綴じリング６１２は、第１リング部材６２０の枢軸部６２６及び枢軸部６３０と第２リング部材６４０の枢軸部６４６及び枢軸部６５０との間における中央で基板６１８の幅方向の中央近傍において、第１リング部材６２０の接合部６２８と第２リング部材６４０の接合部６４８とは接合し凸部６２８ａと凹部６４８ａとが係合して、閉じたループを形成する横長の長円のリング状に形成されるとともに、第１リング部材６２０の接合部６３２と第２リング部材６４０の接合部６５２とは接合し凹部６３２ａと凸部６５２ａとが係合して、閉じたループを形成する横長の長円のリング状に形成されている。
すなわち、綴じリング６１２は、上綴じリング部６２２と上綴じリング部６４２とが倒Ｃ字型リング状に形成されるとともに下綴じリング部６２４と下綴じリング部６４４とが倒Ｃ字型リング状に形成されて、上下一対の綴じリングが形成される。【００８１】
第１リング部材６２０の連結部６３４の湾曲部６３６と第２リング部材６４０の連結部６５４の湾曲部６５６とは、基板６１８の中央付近において接近し、略平行に並び、その間に開隙部６６８が形成されるように湾曲されている。そして、湾曲部６３６と湾曲部６５６とは基板６１８の長手方向に向けて略平行に伸び、第１リング部材６２０の連結部６３４と第２リング部材６４０の連結部６５４の間に、開閉機構６１６が設けられるように適宜な間隔が設けられている。【００８２】
基板６１８は、第１リング部材６２０の枢軸部６２６及び枢軸部６３０を枢支する枢軸受け６６０及び枢軸受け６６２と、第２リング部材６４０の枢軸部６４６及び枢軸部６５０を枢支する枢軸受け６６４及び枢軸受け６６６とが、四隅みに設けられている。
すなわち、基板６１８の左端縁を通る垂直面Ｗ5と基板６１８の右端縁を通る垂直面Ｗ6との間の中央を通る垂直面Ｗ0上において、接合部６４８及び接合部６５２が接合するように、枢軸部６２６，接合部６２８，枢軸部６３０，接合部６３２が基板６１８に設けられている。
この実施の形態における基板６１８においては、枢軸受け６６０、６６２、６６４、６６６は、基板６１８を略コ字型に打ち抜き、打ち抜いてなる舌片を、基板６１８の下面から上方に向けて打ち出しカールしてなる。【００８３】
基板６１８の中央には、綴じリング６１２の開閉機構６１６が設けられている。
この実施の形態においては、開閉機構６１６は、基板６１８の略中央において基板６１８を打ち抜き上方に向けて折曲して平行に立設され、左右一対の軸受部が対向するように形成されたレバー軸受け６７０を備えている。
レバー軸受６７０は、一枚板状の基板６１８の長手方向の中央線（Ｗ0に対応）を境にして、両側縁側に適宜な間隔を有する平行線上で対向するように、平行に基板６１８上に立設された鴟尾形の第１軸受部６７０ａと第２軸受部６７０ｂとからなり、第１軸受部６７０ａと第２軸受部６７０ｂとは、その中央線の中心を中心として点対称に形成されている。
より詳細に説明すると、第１軸受部６７０ａの基部６７０ａ１の一方端と他方端と、第２軸受部６７０ｂの基部６７０ｂ１の一方端と他方端とは、基板６１８の長手方向中央線から同一間隔をおいて、且つ、基板６１８の長手方向の中心より同一距離をおいて、基板６１８より立ち上げられている。第１軸受部６７０ａと第２軸受部６７０ｂとは、いずれも基部６７０ａ１および基部６７０ｂ１は長手方向に延び、基部６７０ａ１および基部６７０ｂ１の一端部側より上方に向けて突き出された首部６７０ａ２および首部６７０ｂ２と、その上部に内方に向けて突き出された、頭部６７０ａ３および頭部６７０ｂ３を備えている。
レバー軸受け６７０は、その頭部６７０ａ３および頭部６７０ｂ３に軸孔６７２ａおよび軸孔６７２ｂが穿設され、後述するようにレバー６１４が回動自在に固定されている。
また、第１軸受部６７０ａの基部６７０ａ１の一端部側における下端部分には、２箇所に所定の間隔で支え部６７０ａ４が設けられ、同様に、第２軸受部６７０ｂの基部６７０ｂ１の一端部側における下端部分には、２箇所に所定の間隔で支え部６７０ｂ４が設けられている。【００８４】
基板６１８は、平面略長方形の金属製板材の外周縁近傍及び四隅の取付孔６１８ａ近傍を残して、略全体が底面側より平面側に向けて膨出されて強度が増加され、後述する付勢部材７００の収容スペースを形成するとともに、第１軸受部６７０ａ及び第２軸受部６７０ｂ、枢軸受け６６０、枢軸受け６６２、枢軸受け６６４及び枢軸受け６６６が、予め形成された打ち抜き細孔（スリット）により区画された領域を、底面側より平面側に向けて打ち出して、所定形状に成形されている。
更に、基板６１８は、前記基板６１８の略全体の膨出時において、付勢部材取付部６１８ｂを形成するために、基板６１８に予め形成された打ち抜き細孔（スリット）により膨出する部位と残存する部位とを区画して、区画された領域を残存させたり折り曲げて、付勢部材取付部６１８ｂが成形されている。
支え部６７０ａ４及び支え部６７０ｂ４は、第１軸受部６７０ａの基部６７０ａ１及び第２軸受部６７０ｂの基部６７０ｂ１の下部を底面側より平面側に打ち出し成形されている。【００８５】
図４３に示すように、第１軸受部６７０ａおよび第２軸受部６７０ｂは、一枚板状の金属製基板６１８に二つ巴状に形成され、第１軸受部６７０ａおよび第２軸受部６７０ｂは、一枚板状の基板６１８より打ち出されることで形成される。
すなわち、一枚板状の基板６１８には、第１軸受部６７０ａの首部６７０ａ２に第２軸受部６７０ｂの頭部６７０ｂ３が位置し、第２軸受部６７０ｂの首部６７０ｂ２に第１軸受部６７０ａの頭部６７０ａ３が位置するように形成されている。そして、第１軸受部６７０ａの頭部６７０ａ３および第２軸受部６７０ｂの頭部６７０ｂ３に穿設された軸孔６７２ａおよび軸孔６７２ｂのそれぞれの中心は、一枚板状の基板６１８の長手方向とは直行する直線状に並ぶように形成される。
また、第１リング部材６２０の湾曲部６３６と第２リング部材６４０の湾曲部６５６とは、第１軸受部６７０ａおよび第２軸受部６７０ｂの内側部に配置される。【００８６】
レバー６１４は、略直線状のレバー本体６８０と、レバー本体６８０の上端（向こう側）に上方に向けて屈曲されて突設された棒体６８２と、棒体６８２の自由端側においてレバー本体６８０の下端（手前側）に上方に向けて屈曲されレバー本体６８０と直交する方向に突設された略Ｌ字型の操作部６８４とを有し、レバー６１４を開く位置に回動したとき、綴じリング６１２を有する第１リング部材６２０と第２リング部材６４０とが同時に開き、レバー６１４を閉じる位置に回動したとき、綴じリング６１２を有する第１リング部材６２０と第２リング部材６４０とが同時に閉じるように形成されている。棒体６８２には、軸孔６８２ａが穿設されている。【００８７】
レバー６１４は、棒体６８２の先端に固定された枢軸部材６８５により、第１リング部材６２０の綴じリング６１２及び第２リング部材６２４の綴じリング６１２の開閉方向と直交する方向に向けて回動することができるように形成されている。
レバー６１４は、レバー本体の先端（操作部６８４とは反対側端）において、前記第１軸受部６７０ａと第２軸受部６７０ｂとの間に介装された枢軸部材６８５に固定され、枢軸部材６８５は、レバー軸受け６７０における軸孔６７２ａおよび軸孔６７２ｂに、枢軸６９０により固定されている。【００８８】
枢軸部材６８５は、左右に第１軸受部６７０ａと第２軸受部６７０ｂとの間に挟まれて接合する平面状左側部６８５ａと平面状右側部６８５ｂとを備えた、合成樹脂製略円盤状本体６８５ｃと、略円盤状本体６８５ｃの手前端にレバー取付部６８５ｄが形成され、略円盤状本体６８５ｃの向こう側端、すなわち、レバー取付部６８５ｄとは反対側端には、略円盤状本体６８５ｃの下部から上部に亘って、平面状左側部６８５ａ側縁および平面状右側部６８５ｂ側縁より適宜な幅（綴じリング６１２の閉じた状態における湾曲部６３６および湾曲部６５６の形状及び位置に対応する）を有する、左右一対の転動部６８５ｅおよび転動部６８５ｆが連続して形成されている。
左右一対の転動部６８５ｅおよび転動部６８５ｆは、回動して、綴じリング６１２を閉じた状態にしたときにおける位置から綴じリング６１２を開いた状態にしたときにおける位置まで又その逆において同一の軌跡を描くように、同一形状のルートが形成されている。
転動部６８５ｅおよび転動部６８５ｆの上部は、レバー６１４を開く位置にしたとき、すなわちレバー６１４が回動されて綴じリング６１２が開けられたとき、第１リング部材６２０の湾曲部６３６および第２リング部材６４０の湾曲部６５６を押し下げることがないように、また、第１リング部材６２０および第２リング部材６４０が開いた状態を維持するために、枢軸６９０側に下げられ、枢軸６９０との距離（Ｌ１）は短く、一方、転動部６８５ｅおよび転動部６８５ｆの下部は、レバー６１４を閉じる位置、すなわちレバー６１４が回動されて綴じリング６１２が閉じられたとき、第１リング部材６２０の湾曲部６３６および第２リング部材６４０の湾曲部６５６を押し下げて、第１リング部材６２０および第２リング部材６４０を閉じた状態に固定するように、枢軸６９０側より長く、枢軸６９０との距離（Ｌ２）は、長い。【００８９】
転動部６８５ｅおよび転動部６８５ｆの最終端、すなわち、略円盤状本体６８５ｃの略中央に突設された枢軸孔６８５ｉを通過する垂直線上の下部において、レバー６１４を回動して綴じリング６１２を開閉するに従って回転する枢軸部材６８５が第１リング部材６２０の湾曲部６３６と第２リング部材６４０の湾曲部６５６との上面を固定するための第１固定部６８６が下方に向けて突設されている。
第１固定部６８６は、その先端が湾曲部６３６と湾曲部６５６の突起部分を押さえつけるように固定するために側面視断面円弧状に形成されている。
第１固定部６８６は、第１リング部材６２０と第２リング部材６４０とが完全に閉じた状態にあるときにおいて、凸部６３６ａ及び凸部６５６ａを乗り越えて、凸部６３６ａおよび凸部６５６ａの斜面、すなわち、第１リング部材６２０及び第２リング部材６４０を開いたときのレバー６１４が位置する側（向こう側）の上面に係合される。【００９０】
レバー６１４を向こう側に回し、上綴じリング部６２２と下綴じリング部６２４とを開いた状態としたときに、第１リング部材６２０の湾曲部６３６と第２リング部材６４０の湾曲部６５６との間に貫挿されて、一旦開いた第１リング部材６２０と第２リング部材６４０とが閉じることがないように第１リング部材６２０と第２リング部材６４０とを開いた状態で固定するための規制部６８５ｇが、転動部６８５ｅと転動部６８５ｆとの間に突設されている。
そして、規制部６８５ｇは、レバー６１４を回動して綴じリング６１２を開き始めたときに、第１リング部材６２０の湾曲部６３６と第２リング部材６４０の湾曲部６５６との間に入り込み始め、更にレバーを回動するに従って徐々に第１リング部材６２０の湾曲部６３６と第２リング部材６４０の湾曲部６５６との間を無理に拡開しながら、レバー６１４を回動させるようにするために、上方に行くに従ってその幅が湾曲部６３６および湾曲部６５６側に向けて拡がる正面視テーパ状の突条に形成されている。
規制部６８５ｇは、更に、略円盤状本体６８５ｃの上部（第１リング部材６２０と第２リング部材６４０とが閉じた状態における）にまで連続して形成され、最上部には、側面視鶴首状の第１係止部６８５ｈが突設されている。
規制部６８５ｇは、枢軸部材６８５の回転軌道上の転動部６８５ｅおよび転動部６８５ｆに沿って形成されることから、第１リング部材６２０と第２リング部材６４０が閉じる方向に作用された場合でも、第１リング部材６２０の湾曲部６３６と第２リング部材６４０の湾曲部６５６との間に規制部６８５ｇが入り込むことから、第１リング部材６２０と第２リング部材６４０が閉じないようにすることができる。
規制部６８５ｇは、レバー６１４を回動するに従って、徐々に第１リング部材６２０の湾曲部６３６との間に入り込み、拡開しながら回動するように、上方に行くに従ってその幅が拡がる正面視テーパ状の突条であることから、枢軸部材６８５が回動したときに、テーパ状の規制部６８５ｇが第１リング部材６２０と第２リング部材６４０の間に楔が入るように徐々に入り込むことにより、第１リング部材６２０と第２リング部材６４０の拡開を容易とすることができる。【００９１】
第１係止部６８５ｈは、第１リング部材６２０及び第２リング部材６４０を開く方向Ｙに向けて開口されている。
また、第１係止部６８５ｈから第１リング部材６２０及び第２リング部材６４０を開く方向Ｙに向けて約９０℃回転移動した位置において、転動部６８５ｅ及び転動部６８５ｆの上面より突設された鉤状部とそれに続く傾斜部とを有する第２係止部６８５ｋが突設されている。
第１係止部６８５ｈは、略円盤状本体６８５ｃの略中央に突設された、枢軸孔６８５ｉを通過する垂直線上の上部において形成され、第１リング部材６２０と第２リング部材６４０とが完全に開いた状態にあるときにおいて下部に至り、付勢部材７００の先端部７０６ａに係止される。【００９２】
第２係止部６８５ｋは、図３５に示すように、レバー６１４を回動して第１リング部材６２０と第２リング部材６４０とを開き始めてから若干レバー６１４の後端が斜め上方に向けて上昇したとき、レバー６１４をその位置で一旦停止させるために形成され、転動部６８５ｅと転動部６８５ｆの上面より突設された鉤状部とそれに続く傾斜部とを有し、凸部６３６ａを乗り越える手前、すなわち、第１リング部材６２０及び第２リング部材６４０を開いたときのレバー６１４が位置する側（向こう側）において、一旦凸部６３６ａと係合し、レバー６１４の回転を停止させる。【００９３】
第１リング部材６２０の湾曲部６３６及び第２リング部材６４０の湾曲部６５６は、レバー６１４を開閉するとき、すなわちレバー６１４を回動して綴じリング６１２を開閉するとき、転動部６８５ｅおよび転動部６８５ｆが、その上面を転動するように形成され、レバー軸受け６７０の軸孔６７２の下部付近において、レバー６１４の第１固定部６８６がいちばん下の位置まで降ろされたときにレバー機構の思案点を越えるように、上方に向けて膨出した凸部６３６ａ及び凸部６５６ａが形成されている。
そして、レバー６１４の第１固定部６８６は、第１リング部材６２０の湾曲部６３６上を転動し、且つ、第２リング部材６４０の湾曲部６５６上を転動するように構成され、枢軸６９０を中心にして水平の位置（綴じリング６１２の閉じた状態）から、綴じリング６１２の開閉方向と直交する方向に向けて回動するように構成されている。
また、枢軸部材６８５における第１固定部６８６の上部には、第１リング部材６２０および第２リング部材６４０を固定する際に、第１固定部６８６により第１リング部材６２０の湾曲部６３６および第２リング部材６４０の湾曲部６５６を押す力を吸収するための吸収孔部６８５ｊが形成されている。【００９４】
開閉機構６１６は、綴じリング６１２を開く方向に付勢する付勢部材７００を備える。
付勢部材７００は、平面コ字形の押し上げ部７０６と押し上げ部７０６の両端に外方に向け突設された平面略Ｌ字型の固定部７０４ａ及び平面略Ｌ字型の固定部７０４ｂとを備え、固定部７０４ａ及び固定部７０４ｂにおいて、基板６１８の裏面で枢軸受け６６２および枢軸受け６６６近傍裏面において、基板６１８に形成された付勢部材取付部６１８ｂ及び付勢部材取付部６１８ｂにより固定され、押し上げ部７０６が基板６１８の略中央において、第１リング部材６２０の連結部６３４と第２リング部材６４０の連結部６５４との間から内方に向け突き出し設けて、湾曲部６３６および湾曲部６５６の下面から湾曲部３６および湾曲部６５６を押し上げ、第１リング部材６２０と第２リング部材６４０とを開くように付勢している。
すなわち、第１リング部材６２０の湾曲部６３６の下方（レバーの思案点より下方（手前側））に当接し、且つ第２リング部材６４０湾曲部６５６の下方（レバーの思案点より下方（手前側））に当接して、湾曲部６３６及び湾曲部６５６を上方に向けて押し上げるように付勢している。
付勢部材７００の付勢力によって、第１リング部材６２０は、枢軸部６２６及び枢軸部３０を中心にして反時計回り方向（正面視）に開き、第２リング部材６４０は、枢軸部６４６及び枢軸部６５０を中心にして時計回り方向（正面視）に開く。
また、押し上げ部７０６の自由端の先端部７０６ａは、レバー６１４を回動して綴じリング６１２を開くように回転した枢軸部材６８５の第１係止部６８５ｈが係止されるような位置に形成され、押し上げ部７０６の先端部７０６ａに枢軸部材６８５の第１係止部６８５ｈが固定されて、レバー６１４が綴じリング６１２を開いた状態を維持するように堅固に固定される。【００９５】
付勢部材７００は、基板６１８の幅方向における中央付近に形成された付勢部材取付部６１８ｂにより、押し上げ部７０６の根元近傍及び固定部７０４ａ及び固定部７０４ｂの押し上げ部７０６側近傍を固定されるとともに、固定部７０４ａ及び固定部７０４ｂの先端（自由端）を基板６１８の左右端縁の長手方向の中心近傍の付勢部材取付部６１８ｂに固定される。【００９６】
第１リング部材６２０の綴じリング６１２及び第２リング部材６４０の綴じリング６１２が閉状態（図３４及び３７図示）にあるレバー６１４を、図３５に示すように、上方に向けて動かし、第１固定部６８６が第１リング部材６２０の湾曲部６３６及び第２リング部材６４０の湾曲部６５６上を転動し、下方（手前側）に向けて移動するので、第１固定部６８６は、第１リング部材６２０の湾曲部６３６及び第２リング部材６４０の湾曲部６５６を押し下げることがなくなり、付勢部材７００の付勢力により第１リング部材６２０の湾曲部６３６及び第２リング部材６４０の湾曲部６５６を上方に向けて押し上げる。
第２係止部６８５ｋは、図３５及び３８に示すように、レバー６１４を回動して第１リング部材６２０と第２リング部材６４０とを開き始めてから若干レバー６１４の後端が斜め上方に向けて上昇したとき、凸部６３６ａを乗り越える手前、すなわち、第１リング部材６２０及び第２リング部材６４０を開いたときのレバー６１４が位置する側（向こう側）において、一旦凸部６３６ａと係合し、レバー６１４の回転を停止させる。このとき、綴じリング６１２は半開き状態において、固定される。【００９７】
このように、図３５及び３８に示すように、レバー６１４を上方（向こう側）に回動すると、枢軸部材６８５における規制部６８５ｇがテーパ状に形成されていることから、第１リング部材６２０の湾曲部６３６と第２リング部材６４０の湾曲部６５６との間に楔のように入り込み始め（図３８参照）、さらに、図３５に示すように、レバー６１４を回動するに従って、徐々に第１リング部材６２０の湾曲部６３６と第２リング部材６５６との間を無理に拡開することになる（図３９参照）。
これによって、第１リング部材６２０の接合部６２８と第２リング部材６４０の接合部６４８とが及び第１リング部材６２０の接合部６３２と第２リング部材６４０の接合部６５２とが離間する方向に向けて作動して、第１リング部材６２０の綴じリング６１２は、枢軸部６２６及び枢軸部６３０を通る垂直線より略２０度開き、第２リング部材６４０の綴じリング６１２は、枢軸部６４６及び枢軸部６５０を通る垂直線より略２０度開く。すなわち、第１リング部材６２０は、反時計回り方向（正面視）に向けて回転して開き、第２リング部材６４０は時計回り方向（正面視）に向けて回転して開く。【００９８】
第１リング部材６２０の上綴じリング部６２２及び下綴じリング部６２４と第２リング部材６４０の上綴じリング部６４２及び下綴じリング部６４４とが開くことにより、レバー６１４の作動領域が開放され、レバー６１４は、第１リング部材６２０及び第２リング部材６４０の綴じリング６１２の間を通過して基板６１８の向こう側まで回動させ、図３６及び３９に示すように、基板６１８の上面に近接した水平状態に固定させることができる。
さらに、枢軸部材６８５の転動部６８５ｅおよび転動部６８５ｆは、それぞれ第１リング部材６２０の湾曲部６３６および第２リング部材６４０の湾曲部６５６を押さえつける効果を奏する。そして、枢軸部材６８５の第１係止部６８５ｈは、押し上げ部７０６の自由端の先端部７０６ａに固定されることで、第１リング部材６２０および第２リング部材６４０が閉じられる方向に働いたときに発生する第１リング部材６２０の湾曲部６３６および第２リング部材６４０の湾曲部６５６における下向きの力を、押し上げ部７０６の自由端の先端部７０６ａを介して枢軸部材６８５の第１係止部６８５ｈによって保持されることから、レバー６１４の開いた状態（綴じリング４１２が開いた状態）が維持されるように作用する。
したがって、レバー６１４に妨げられることなく、第２リング部材６４０の上綴じリング部６４２及び第２リング部材６４０の下綴じリング部６４４に、用箋等の被綴じ物の綴じ孔を貫挿させて被綴じ物を差し込むことができる。
また、第１リング部材６２０および第２リング部材６４０に対して、右側および左側からそれぞれ内側方向に力が作用されても、容易に閉じることを防止することができる。
そして、被綴じ物を貫挿させた後、レバー６１４を下方（手前側）に向けて回動することにより、再び第１固定部６８６が第１リング部材６２０の湾曲部６３６及び第２リング部材６４０の湾曲部６５６を押し下げ、付勢部材７００の付勢力に抗して、レバー６１４を押し下げると、レバー６１４は、思案点を越えた位置において固定されるとともに第１リング部材６２０及び第２リング部材６４０の綴じリング６１２は定位置で固定される。また、第１固定部６８６が第１リング部材６２０の湾曲部６３６および第２リング部材６４０の湾曲部６５６を強く押しすぎないようにするために、吸収孔部６８５ｊが第１固定部６８６による押さえる力を吸収する効果を奏する。
なお、この吸収孔部６８５ｊを設けることによって第１固定部６６８で第１リング部材６２０の湾曲部６３６および第２リング部材６４０の湾曲部６５６を押さえる力が弱くなるときは、吸収孔部６８５ｊは、形成されなくてもよい。【００９９】
この綴じ具６１０は、ファイルの表紙Ｃの背板Ｃ1に、基板６１８に設けられた４つの取付孔６１８ａに鋲などを貫設して取り付けられる。
ファイルの表紙Ｃの背板Ｃ1に固定された基板６１８の左端縁を通る垂直面Ｗ5とファイルの表紙Ｃの背板Ｃ1の左端縁の折り曲げ線を通る垂直面Ｗ7との間の長さＤ5は、基板１８の右端縁を通る垂直面Ｗ8とファイルの表紙Ｃの背板Ｃ1の右端縁の折り曲げ線を通る垂直面Ｗ8との間の長さＤ6は、同一である。【０１００】
この発明にかかる綴じ具は、前記実施の形態に限らず種々変更することができる。
例えば、図４４ないし４７に示すように、綴じリング１２，２１２，４１２，６１２の形状を、略Ｄの字型のリング形状にしてもよい。
図４４ないし４７図示の綴じリング６１２Ａは、略円弧状の半環状型の第１リング部材６２０Ａ（上綴じリング部６２２Ａと下綴じリング部６２４Ａとを備える）と略Ｌ字状の半環状型の第２リング部材６４０Ａ（上綴じリング部６４２Ａと下綴じリング部６４４Ａとを備える）とにより形成され、第１リング部材６２０Ａと第２リング部材６４０Ａとを閉じたときに、略Ｄの字型のリング形状となる。
この綴じ具６１０Ａは、表紙Ｃに固定するときは前記綴じ具６１０とは異なって、表紙Ｃを構成する右側の裏表紙（Ｂ面側）Ｃ2の内側面（第３面）に錠やリベットで固定される。
そして、表紙Ｃを閉じたとき、左側の表表紙（Ａ面側）Ｃ3に形成された、固定貫通孔Ｃｈ1及び固定貫通孔Ｃｈ2に、第１リング部材６２０Ａ（上綴じリング部６２２Ａ及び下綴じリング部６２４Ａ）が嵌入するように形成されている。
また、図４８ないし４９に示すように、枢軸部材６８５は、綴じリング６１２を閉じたときに、確実に基板６１８に固定されるようにするために、付勢部材７００の先端部７０６ａに係止される第２固定部６８８を形成してもよい。
第２固定部６８８は、正面略Ｌ字型で第１リング部材６２０および第２リング部材６４０を開く方向Ｙに向いて開口され、レバー６１４を回して、綴じリング６１２を閉じたときに付勢部材７００の先端部７０６ａに係止される。
【図１】
0004637171.tif 000002
【図２】
0004637171.tif 000003
【図３】
0004637171.tif 000004
【図４】
0004637171.tif 000005
【図５】
0004637171.tif 000006
【図６】
0004637171.tif 000007
【図７】
0004637171.tif 000008
【図８】
0004637171.tif 000009
【図９】
0004637171.tif 000010
【図１０】
0004637171.tif 000011
【図１１】
0004637171.tif 000012
【図１２】
0004637171.tif 000013
【図１３】
0004637171.tif 000014
【図１４】
0004637171.tif 000015
【図１５】
0004637171.tif 000016
【図１６】
0004637171.tif 000017
【図１７】
0004637171.tif 000018
【図１８】
0004637171.tif 000019
【図１９】
0004637171.tif 000020
【図２０】
0004637171.tif 000021
【図２１】
0004637171.tif 000022
【図２２】
0004637171.tif 000023
【図２３】
0004637171.tif 000024
【図２４】
0004637171.tif 000025
【図２５】
0004637171.tif 000026
【図２６】
0004637171.tif 000027
【図２７】
0004637171.tif 000028
【図２８】
0004637171.tif 000029
【図２９】
0004637171.tif 000030
【図３０】
0004637171.tif 000031
【図３１】
0004637171.tif 000032
【図３２】
0004637171.tif 000033
【図３３】
0004637171.tif 000034
【図３４】
0004637171.tif 000035
【図３５】
0004637171.tif 000036
【図３６】
0004637171.tif 000037
【図３７】
0004637171.tif 000038
【図３８】
0004637171.tif 000039
【図３９】
0004637171.tif 000040
【図４０】
0004637171.tif 000041
【図４１】
0004637171.tif 000042
【図４２】
0004637171.tif 000043
【図４３】
0004637171.tif 000044
【図４４】
0004637171.tif 000045
【図４５】
0004637171.tif 000046
【図４６】
0004637171.tif 000047
【図４７】
0004637171.tif 000048
【図４８】
0004637171.tif 000049
【図４９】
0004637171.tif 000050
【図５０】
0004637171.tif 000051